(57)【特許請求の範囲】
【請求項１】
輝度信号と、搬送色信号と、上記搬送色信号の帯域内に含まれ、且つ所定のライン番号に含まれる変調解像度補強信号とが多重化されたコンポジット信号を、コンポーネント信号として、記録媒体に記録するようにしたテレビジョン信号の記録装置であって、
アナログまたはディジタル輝度信号と、二つのアナログまたはディジタル色差信号とからなるコンポーネント信号が入力され、上記コンポーネント信号に対して記録処理を施すことによって記録信号を生成し、上記記録信号を記録媒体に記録するためのディジタルビデオ信号記録手段と、
上記コンポジット信号が供給され、上記輝度信号と上記搬送色信号とを分離するためのＹ／Ｃ分離手段と、
上記搬送色信号を復調して成る第１および第２の線順次化された色差信号出力を上記ディジタルビデオ信号記録手段の色信号入力端子に供給すると共に、上記変調解像度補強信号を復調して成る解像度補強信号を線順次化して上記第１および第２の線順次化された色差信号に挿入して上記色信号入力端子に供給するための手段と、
上記輝度信号と上記搬送色信号とを分離するためのＹ／Ｃ分離手段で分離された輝度信号のうち上記解像度補強信号部分を黒のレベルの信号にして、上記ディジタルビデオ信号記録手段の輝度信号入力とするための手段と
を備えたテレビジョン信号の記録装置。
【請求項２】
記録媒体から再生された再生信号から得られるコンポーネント信号を、輝度信号と、第１および第２の線順次化された搬送色信号と、上記搬送色信号の帯域内に含まれ、且つ所定のライン番号に含まれ線順次化して上記第１および第２の線順次化された色差信号に挿入された変調解像度補強信号とが多重化されたコンポジット信号へ変換して出力するようにしたテレビジョン信号の再生装置であって、
再生信号に対して再生処理を施すことによって、アナログまたはディジタル輝度信号と、二つのアナログまたはディジタル色差信号とからなるコンポーネント信号を出力するディジタルビデオ信号再生手段と、
上記ディジタルビデオ信号再生手段の色差信号出力端子と、Ｙ／Ｃ混合手段の色信号入力端子との間に配置され、解像度補強信号を変調するための手段と、
変調された上記解像度補強信号と搬送色信号とを選択的に上記Ｙ／Ｃ混合手段に供給するための手段と
を備えたテレビジョン信号の再生装置。
【請求項３】
輝度信号と、第１および第２の線順次化された搬送色信号と、上記搬送色信号の帯域内に含まれ、且つ所定のライン番号に含まれ線順次化して上記第１および第２の線順次化された色差信号に挿入された変調解像度補強信号とが多重化されたコンポジット信号を、コンポーネント信号として、記録媒体に記録し、上記記録媒体から再生された再生信号から得られるコンポーネント信号を、上記コンポジット信号へ変換して出力するようにしたテレビジョン信号の記録再生装置であって、
アナログまたはディジタル輝度信号と、二つのアナログまたはディジタル色差信号とからなるコンポーネント信号が入力され、上記コンポーネント信号に対して記録処理を施すことによって記録信号を生成し、上記記録信号を記録媒体に記録し、上記記録媒体からの再生信号に対して再生処理を施すことによって、上記コンポーネント信号を出力するディジタルビデオ信号記録再生手段と、
上記コンポジット信号が供給され、上記輝度信号と上記搬送色信号とを分離するためのＹ／Ｃ分離手段と、
上記搬送色信号を復調して成る第１および第２の線順次化された色差信号出力を上記ディジタルビデオ信号記録手段の色信号入力端子に供給すると共に、上記変調解像度補強信号を復調して成る解像度補強信号を線順次化して上記第１および第２の線順次化された色差信号に挿入して上記色信号入力端子に供給するための手段と、
上記輝度信号と上記搬送色信号とを分離するためのＹ／Ｃ分離手段で分離された輝度信号のうち上記解像度補強信号部分を黒のレベルの信号にして、上記ディジタルビデオ信号記録手段の輝度信号入力とするための手段と
上記ディジタルビデオ信号再生手段の色差信号出力端子と、Ｙ／Ｃ混合手段の色信号入力端子との間に配置され、解像度補強信号を変調するための手段と、
変調された上記解像度補強信号と搬送色信号とを選択的に上記Ｙ／Ｃ混合手段に供給するための手段と
を備えたテレビジョン信号の記録再生装置。
【請求項４】
請求項１、請求項２または請求項３に記載の装置において、
上記コンポジット信号は、レターボックス形式で伝送される信号であり、
上記レターボックス形式の無画部の所定のライン番号の位置に対して、上記解像度補強信号が配置されることを特徴とする装置。
【請求項５】
請求項１、請求項２または請求項３に記載の装置において、
上記コンポジット信号は、レターボックス形式で伝送される信号であり、
上記レターボックス形式の無画部の所定のライン番号の位置に対して、識別制御信号が配置されることを特徴とする装置。
【請求項６】
請求項１または請求項３に記載の装置において、
所定ラインに送られてくる輝度信号のリファレンス信号をサンプリングし、サンプリング値をビデオトラック内の予備データ領域に保存するようにしたことを特徴とする装置。
【請求項７】
請求項６に記載の装置において、
上記輝度信号のリファレンス信号が取得不能な場合、上記ビデオトラック内の予備データ領域のデータをサンプリング値の情報に代えて（ＦＦｈ）とすることを特徴とした装置。
【請求項８】
請求項１または請求項３に記載の装置において、
所定ラインに送られてくる識別制御信号を抽出し、抽出された情報をビデオトラック内の予備データ領域に保存するようにしたことを特徴とする装置。
【請求項９】
請求項８に記載の装置において、
上記識別制御信号を抽出する処理の後で上記識別制御信号が位置する所定のラインを黒のレベルの信号にすることを特徴とする装置。
【請求項１０】
請求項１または請求項３に記載の装置において、
上記色差信号出力は、第１および第２の色差信号が線順次で出力されるものであって、上記解像度補強信号を線順次化して上記ディジタルビデオ信号記録手段の色信号入力端子に供給することを特徴とする装置。
【請求項１１】
請求項２に記載の装置において、
上記予備データ領域から再生されたデータをアナログデータに復元し、
上記アナログデータを輝度信号のリファレンス信号として再生信号中の所定ラインに付加することを特徴とする装置。
【請求項１２】
請求項１１に記載の装置において、
上記予備データ領域から再生された輝度信号のリファレンス信号のデータが（ＦＦｈ）であれば、再生時に輝度信号のリファレンス信号を白１００％のレベルにして再生信号中の所定ラインに挿入することを特徴とする装置。
【請求項１３】
請求項２または請求項３に記載の装置において、
上記解像度補強信号は、上記Ｙ／Ｃ混合手段の上記色信号入力端子に供給されることを特徴とする装置。
【請求項１４】
請求項２または請求項３に記載の装置において、
上記輝度信号を出力する輝度信号出力端子と上記色信号を出力する搬送色信号出力端子を有し、
上記解像度補強信号は、上記搬送色信号出力端子から出力されることを特徴とする装置。
【請求項１５】
請求項１または請求項３に記載の装置において、
上記解像度補強信号のレベルは、ディジタル値表現において、基準値が５４であり最大値が１０８であることを特徴とする装置。
【請求項１６】
請求項１または請求項３に記載の装置において、
上記解像度補強信号のレベルは、ディジタル値表現において、基準値が２７であり最大値が５４であることを特徴とする装置。
【請求項１７】
請求項１または請求項３に記載の装置において、
上記解像度補強信号のレベルは、ディジタル値表現において、基準値が１０８であり最大値が２１６であることを特徴とする装置。
【請求項１８】
請求項１、請求項２または請求項３に記載の装置において、
上記テレビジョン信号の方式は、６２５本／５０Ｈｚであることを特徴とした装置。
【請求項１９】
請求項１、請求項２または請求項３に記載の装置において、
上記テレビジョン信号の方式は、５２５本／６０Ｈｚであることを特徴とした装置。
【請求項２０】
輝度信号と、搬送色信号と、上記搬送色信号の帯域内に含まれ、且つ所定のライン番号に含まれる変調解像度補強信号とが多重化されたコンポジット信号を、ディジタルビデオ信号記録手段によって記録し、
上記ディジタルビデオ信号記録手段がアナログまたはディジタル輝度信号と、二つのアナログまたはディジタル色差信号とからなるコンポーネント信号が入力され、上記コンポーネント信号に対して記録処理を施すことによって記録信号を生成するものである、テレビジョン信号の記録方法であって、
上記コンポジット信号を受け取り、上記輝度信号と上記搬送色信号とを分離するＹ／Ｃ分離のステップと、
上記搬送色信号を復調して成る第１および第２の線順次化された色差信号出力を上記ディジタルビデオ信号記録手段の色信号入力端子に供給すると共に、上記変調解像度補強信号を復調して成る解像度補強信号を線順次化して上記第１および第２の線順次化された色差信号に挿入して上記色信号入力端子に供給するステップと、
上記輝度信号と上記搬送色信号とを分離するためのＹ／Ｃ分離手段で分離された輝度信号のうち上記解像度補強信号部分を黒のレベルの信号にして、上記ディジタルビデオ信号記録手段の輝度信号入力とするステップと
からなるテレビジョン信号の記録方法。
【請求項２１】
記録媒体からディジタルビデオ信号再生手段によって再生された再生信号から得られるコンポーネント信号を、輝度信号と、第１および第２の線順次化された搬送色信号と、上記搬送色信号の帯域内に含まれ、且つ所定のライン番号に含まれ線順次化して上記第１および第２の線順次化された色差信号に挿入された変調解像度補強信号とが多重化されたコンポジット信号へ変換して出力し、
上記ディジタルビデオ信号再生手段が再生信号に対して再生処理を施すことによって、アナログまたはディジタル輝度信号と、二つのアナログまたはディジタル色差信号とからなるコンポーネント信号を出力するものである、ビデオ信号再生方法であって、
上記ディジタルビデオ信号再生手段からの色差信号に多重された解像度補強信号を変調するステップと、
変調された上記解像度補強信号と搬送色信号とを選択的にＹ／Ｃ混合手段に供給するステップと
からなるテレビジョン信号の再生方法。
【請求項２２】
輝度信号と、第１および第２の線順次化された搬送色信号と、上記搬送色信号の帯域内に含まれ、且つ所定のライン番号に含まれ線順次化して上記第１および第２の線順次化された色差信号に挿入された変調解像度補強信号とが多重化されたコンポジット信号を、ディジタルビデオ信号記録／再生手段によって記録し、
記録媒体から上記ディジタルビデオ信号記録／再生手段によって再生された再生信号から得られるコンポーネント信号を、輝度信号と、搬送色信号と、上記搬送色信号の帯域内に含まれ、且つ所定のライン番号に含まれる変調解像度補強信号とが多重化されたコンポジット信号へ変換して出力し、
上記ディジタルビデオ信号記録／再生手段がアナログまたはディジタル輝度信号と、二つのアナログまたはディジタル色差信号とからなるコンポーネント信号が入力され、上記コンポーネント信号に対して記録処理を施すことによって記録信号を生成し、
上記ディジタルビデオ信号記録／再生手段が再生信号に対して再生処理を施すことによって、アナログまたはディジタル輝度信号と、二つのアナログまたはディジタル色差信号とからなるコンポーネント信号を出力するものである、ビデオ信号記録／再生方法であって、
上記コンポジット信号を受け取り、上記輝度信号と上記搬送色信号とを分離するＹ／Ｃ分離のステップと、
上記搬送色信号を復調して成る第１および第２の線順次化された色差信号出力を上記ディジタルビデオ信号記録手段の色信号入力端子に供給すると共に、上記変調解像度補強信号を復調して成る解像度補強信号を線順次化して上記第１および第２の線順次化された色差信号に挿入して上記色信号入力端子に供給するステップと、
上記輝度信号と上記搬送色信号とを分離するためのＹ／Ｃ分離手段で分離された輝度信号のうち上記解像度補強信号部分を黒のレベルの信号にして、上記ディジタルビデオ信号記録手段の輝度信号入力とするステップと
上記ディジタルビデオ信号再生手段からの色差信号に多重された解像度補強信号を変調するステップと、
変調された上記解像度補強信号と搬送色信号とを選択的にＹ／Ｃ混合手段に供給するステップと
からなるテレビジョン信号の記録／再生方法。
【発明の詳細な説明】
【０００１】
【産業上の利用分野】
この発明は、テレビジョン信号、例えばＰＡＬｐｌｕｓ方式に準拠したテレビジョン信号を、ディジタル的に記録／再生する装置および方法に関する。
【０００２】
【従来の技術】
国内外におけるテレビジョン放送では、現行の放送と両立性を保ちつつ、１チャンネルの周波数帯域、例えば６ＭＨｚの中で、高画質化および画面のワイド化が図られている。これは、現行の放送の方式に対し、そのアスペクト比（画面の縦横の長さの比）が（９：１６）と、横長なワイド画面であることが大きな特徴とされている。現行でＰＡＬ方式が採用されている西欧諸国などにおいては、この次世代テレビジョン放送の方式としてＰＡＬｐｌｕｓ方式が提案されている。
【０００３】
図２７にこのＰＡＬｐｌｕｓ方式で受信された画像の例を示す。図２７Ａは、現行のアスペクト比が（３：４）の画面のテレビジョン受像機に、ＰＡＬｐｌｕｓ方式で放送された映像を映出した様子である。現行の、ＰＡＬｐｌｕｓのデコーダが装備されていず、アスペクト比が３：４のテレビジョン受像機では、図２７Ａのように、主画部の上下に無画部が配置された画面となる。これは、ＰＡＬｐｌｕｓ方式ではレターボックス形式で信号が伝送されているためである。この映像をＰＡＬｐｌｕｓに対応したデコーダを備えたテレビジョン受像機に映出させると、図２７Ｂのようになり、ワイドな画面を楽しむことができる。
【０００４】
このＰＡＬｐｌｕｓ方式では、上下の無画部に垂直解像度を補強するためのヘルパー信号が多重される。このヘルパー信号およびレターボックスの信号を図２８に示す。一方、このヘルパー信号とは別に、どのようにレターボックスの画面の主画部あるいは上下の無画部に信号が記録されているかを表す信号がヘルパー信号およびレターボックスの信号とは別のラインに記録されている。この様子を図２９に示す。それらの信号のうち、第２３ラインには、図３０に示すように、アスペクト比やヘルパー信号の有無を示すＷＳＳ（Ｗｉｄｅ  Ｓｃｒｅｅｎ  Ｓｉｇｎａｌｉｎｇ）  信号が設けられ、更にヘルパー信号がある場合には、そのラインの後半に、後述するヘルパー信号のためのヘルパー基準信号が設けられる。
【０００５】
また、第６２３ラインには、図３１に示すように、白１００％のレベルを示すリファレンス信号が送られてくる。放送局から送出された電波は、テレビジョン受像機に到達するまでの間に、さまざまな妨害を受け減衰させられている。テレビジョン受像機に受信されたこの電波は、上述の白１００％のリファレンス信号を基に、ペデスタルレベルからシンクチップレベルまでのレベルが規定の電圧になるように、ＡＧＣによりゲインコントロールされる。また、上述したサブキャリア周波数のリファレンスバースト信号も、この白１００％のリファレンス信号によってその振幅が復元される。
【０００６】
このＰＡＬｐｌｕｓ信号の、伝送信号のラインおよび画素割り当ての詳細を図３２に示す。この図において、横軸が１３．５ＭＨｚでサンプリングした場合のサンプル番号、縦軸がライン番号を表す。横軸に関しては、サンプル番号１０〜７１１までが画面の有効エリアである。第２３ラインに対して、ワイド画面であるか否か、また、ヘルパー信号の有無の識別等の識別、制御用の信号であるＷＳＳビット、およびヘルパー基準バースト信号が割り当てられている。このヘルパー基準バースト信号は、−Ｕ位相の色副搬送波信号である。また、第６２３ラインにはホワイトレベルおよびブラックレベルの基準信号が割り当てられている。第２４〜５９ライン、および第３３６〜３７１が上部無画部であり、第２７５〜３１０ライン、および第５８７〜６２２ラインが下部無画部である。また、これら上下の無画部に挟まれる形の、第６０〜２７４ライン、および第３７２〜５８６ラインが主画部である。
【０００７】
レターボックス形式で主画部のみを伝送した場合、画面高が現行のテレビジョン受像機と一致する画面サイズで考えると、水平方向の空間解像度および垂直方向の空間解像度が何れも約３／４に低下してしまう。この問題を解決するために、ＰＡＬｐｌｕｓでは、垂直解像度補強信号（ヘルパー信号と称される）を伝送している。このヘルパー信号は、上述の、上部無画部および下部無画部に挿入される。なお、ＰＡＬｐｌｕｓ方式では、水平解像度については特に対策を施していない。
【０００８】
図３３Ａに、このＰＡＬｐｌｕｓ方式による輝度信号Ｙおよび搬送色信号Ｃの信号スペクトルを示す。Ｙ信号に対して、色副搬送波周波数４．４３ＭＨｚで変調されたＣ信号が周波数多重されている。また、図３３Ｂにヘルパー信号の信号スペクトルを示す。この信号も色副搬送波周波数４．４３ＭＨｚで変調されており、約０．５〜５ＭＨｚまでの帯域を有している。
【０００９】
主画部は、６２５本（有効走査線５７６本）順次走査の画素を４−３の走査線変換により有効走査線４３０本の信号に変換した後、所定の垂直ローパスフィルタ処理を行い、飛び越し走査に変換したものである。このとき、４−３変換されているために垂直解像度が劣化している。そのため、劣化した垂直解像度を補強するために、上述したヘルパー信号が伝送される。
【００１０】
また、映像信号およびオーディオ信号を、ディジタル信号の形態でカセットテープに記録し、また再生するようにした、ディジタルＶＣＲ（デジタルビデオカセットレコーダ）が提案されている。この方式に使用される磁気テープは、幅１／４インチとされており、カセットに収められている。このカセットは、２種類の大きさのものが用意されており、標準カセットで横１２５ｍｍ×縦７８ｍｍ×高さ１４．６ｍｍ、小型カセットとして横６６ｍｍ×縦４８ｍｍ×高さ１２．２ｍｍとされている。また、記録時間は、現行テレビジョン信号を記録する場合で、標準カセットで最大４時間３０分、小型カセットで最大１時間とされている。
【００１１】
ディジタルＶＣＲへの映像入出力信号は、ＣＣＩＲ（国際無線通信諮問委員会、現ＩＴＵ−ＲＳ）勧告６０１の（４：２：２）コンポーネント信号である。この信号がディジタルＶＣＲに入力され、サンプリング周波数変換回路により所定のコンポーネント信号に変換される。これは例えば、日本や米国等で使用されているＮＴＳＣ方式などのような入力信号が５２５本／６０Ｈｚの場合には、（４：１：１）コンポーネント信号とされ、また西欧や中国などで使用されているＰＡＬ方式のような入力信号が６２５本／５０Ｈｚの場合には、色差信号ＣＲ  およびＣＢ  が線順次化された（４：２：０）コンポーネント信号とされる。この変換されたコンポーネント信号は、圧縮され、誤り訂正符号を付加され、記録符号化され上述の磁気テープに記録される。また、このディジタルＶＣＲの記録／再生帯域は、輝度信号で、６．３ＭＨｚを有している。
【００１２】
【発明が解決しようとする課題】
ここで、上述のＰＡＬｐｌｕｓ方式によるテレビジョン信号をディジタルＶＣＲのテープ上に記録再生する場合について考える。このとき、ＰＡＬｐｌｕｓ信号の帯域は、およそ６ＭＨｚであり、さらに、上述したようにディジタルＶＣＲの記録／再生帯域も６ＭＨｚを有している。このため、基本的に伝送信号の形態でディジタルＶＣＲにより、ＰＡＬｐｌｕｓ信号を記録／再生することが考えられる。
【００１３】
ディジタルＶＣＲにおいて信号はコンポーネント信号の形態で扱われる。そのため、ＰＡＬｐｌｕｓ信号は、コンポーネント信号に変換されなければならない。このとき、輝度信号Ｙおよび色信号Ｃについては、従来のＰＡＬ信号と何ら変わるところがないため、問題なく記録できる。また、ＰＡＬｐｌｕｓ信号に特有のヘルパー信号は、４．４３ＭＨｚで変調されているため、色信号Ｃと同等に扱うことが可能である。ディジタルＶＣＲでは、色差信号ＣＲ  （Ｒ−Ｙ）、ＣＢ  （Ｒ−Ｂ）を線順次信号に変換して記録するので、ヘルパー信号をＣ信号として扱ってしまうと、ヘルパー信号が色信号Ｃと同様に間引かれてしまうので、垂直解像度補強の効果が期待できないという問題がある。
【００１４】
したがって、この発明の目的は、例えばＰＡＬｐｌｕｓ信号のような、垂直解像度補強信号が多重化されたテレビジョン信号を、ディジタル的に記録／再生できる記録／再生装置および方法を提供することにある。
【００１５】
【課題を解決するための手段】
この発明は、上述した課題を解決するために、輝度信号と、搬送色信号と、搬送色信号の帯域内に含まれ、且つ所定のライン番号に含まれる変調解像度補強信号とが多重化されたコンポジット信号を、コンポーネント信号として、記録媒体に記録するようにしたテレビジョン信号の記録装置であって、アナログまたはディジタル輝度信号と、二つのアナログまたはディジタル色差信号とからなるコンポーネント信号が入力され、コンポーネント信号に対して記録処理を施すことによって記録信号を生成し、記録信号を記録媒体に記録するためのディジタルビデオ信号記録手段と、コンポジット信号が供給され、輝度信号と搬送色信号とを分離するためのＹ／Ｃ分離手段と、搬送色信号を復調して成る第１および第２の線順次化された色差信号出力をディジタルビデオ信号記録手段の色信号入力端子に供給すると共に、変調解像度補強信号を復調して成る解像度補強信号を線順次化して第１および第２の線順次化された色差信号に挿入して上記色信号入力端子に供給するための手段と、輝度信号と搬送色信号とを分離するためのＹ／Ｃ分離手段で分離された輝度信号のうち解像度補強信号部分を黒のレベルの信号にして、ディジタルビデオ信号記録手段の輝度信号入力とするための手段とを備えたテレビジョン信号の記録装置である。
【００１６】
また、この発明は、上述した課題を解決するために、記録媒体から再生された再生信号から得られるコンポーネント信号を、輝度信号と、第１および第２の線順次化された搬送色信号と、搬送色信号の帯域内に含まれ、且つ所定のライン番号に含まれ線順次化して第１および第２の線順次化された色差信号に挿入された変調解像度補強信号とが多重化されたコンポジット信号へ変換して出力するようにしたテレビジョン信号の再生装置であって、再生信号に対して再生処理を施すことによって、アナログまたはディジタル輝度信号と、二つのアナログまたはディジタル色差信号とからなるコンポーネント信号を出力するディジタルビデオ信号再生手段と、ディジタルビデオ信号再生手段の色差信号出力端子と、Ｙ／Ｃ混合手段の色信号入力端子との間に配置され、解像度補強信号を変調するための手段と、変調された解像度補強信号と搬送色信号とを選択的にＹ／Ｃ混合手段に供給するための手段とを備えたテレビジョン信号の再生装置である。
【００１７】
また、この発明は、上述した課題を解決するために、輝度信号と、第１および第２の線順次化された搬送色信号と、搬送色信号の帯域内に含まれ、且つ所定のライン番号に含まれ線順次化して第１および第２の線順次化された色差信号に挿入された変調解像度補強信号とが多重化されたコンポジット信号を、コンポーネント信号として、記録媒体に記録し、記録媒体から再生された再生信号から得られるコンポーネント信号を、コンポジット信号へ変換して出力するようにしたテレビジョン信号の記録再生装置であって、アナログまたはディジタル輝度信号と、二つのアナログまたはディジタル色差信号とからなるコンポーネント信号が入力され、コンポーネント信号に対して記録処理を施すことによって記録信号を生成し、記録信号を記録媒体に記録し、記録媒体からの再生信号に対して再生処理を施すことによって、コンポーネント信号を出力するディジタルビデオ信号記録再生手段と、コンポジット信号が供給され、輝度信号と搬送色信号とを分離するためのＹ／Ｃ分離手段と、搬送色信号を復調して成る第１および第２の線順次化された色差信号出力をディジタルビデオ信号記録手段の色信号入力端子に供給すると共に、変調解像度補強信号を復調して成る解像度補強信号を線順次化して第１および第２の線順次化された色差信号に挿入して上記色信号入力端子に供給するための手段と、輝度信号と搬送色信号とを分離するためのＹ／Ｃ分離手段で分離された輝度信号のうち解像度補強信号部分を黒のレベルの信号にして、ディジタルビデオ信号記録手段の輝度信号入力とするための手段とディジタルビデオ信号再生手段の色差信号出力端子と、Ｙ／Ｃ混合手段の色信号入力端子との間に配置され、解像度補強信号を変調するための手段と、変調された解像度補強信号と搬送色信号とを選択的にＹ／Ｃ混合手段に供給するための手段とを備えたテレビジョン信号の記録再生装置である。
【００１８】
また、この発明は、上述した課題を解決するために、輝度信号と、搬送色信号と、搬送色信号の帯域内に含まれ、且つ所定のライン番号に含まれる変調解像度補強信号とが多重化されたコンポジット信号を、ディジタルビデオ信号記録手段によって記録し、ディジタルビデオ信号記録手段がアナログまたはディジタル輝度信号と、二つのアナログまたはディジタル色差信号とからなるコンポーネント信号が入力され、コンポーネント信号に対して記録処理を施すことによって記録信号を生成するものである、テレビジョン信号の記録方法であって、コンポジット信号を受け取り、輝度信号と搬送色信号とを分離するＹ／Ｃ分離のステップと、搬送色信号を復調して成る第１および第２の線順次化された色差信号出力をディジタルビデオ信号記録手段の色信号入力端子に供給すると共に、変調解像度補強信号を復調して成る解像度補強信号を線順次化して第１および第２の線順次化された色差信号に挿入して上記色信号入力端子に供給するステップと、輝度信号と搬送色信号とを分離するためのＹ／Ｃ分離手段で分離された輝度信号のうち解像度補強信号部分を黒のレベルの信号にして、ディジタルビデオ信号記録手段の輝度信号入力とするステップとからなるテレビジョン信号の記録方法である。
【００１９】
また、この発明は、上述した課題を解決するために、記録媒体からディジタルビデオ信号再生手段によって再生された再生信号から得られるコンポーネント信号を、輝度信号と、第１および第２の線順次化された搬送色信号と、搬送色信号の帯域内に含まれ、且つ所定のライン番号に含まれ線順次化して第１および第２の線順次化された色差信号に挿入された変調解像度補強信号とが多重化されたコンポジット信号へ変換して出力し、ディジタルビデオ信号再生手段が再生信号に対して再生処理を施すことによって、アナログまたはディジタル輝度信号と、二つのアナログまたはディジタル色差信号とからなるコンポーネント信号を出力するものである、ビデオ信号再生方法であって、ディジタルビデオ信号再生手段からの色差信号に多重された解像度補強信号を変調するステップと、変調された解像度補強信号と搬送色信号とを選択的にＹ／Ｃ混合手段に供給するステップとからなるテレビジョン信号の再生方法である。
【００２０】
また、この発明は、上述した課題を解決するために、輝度信号と、第１および第２の線順次化された搬送色信号と、搬送色信号の帯域内に含まれ、且つ所定のライン番号に含まれ線順次化して第１および第２の線順次化された色差信号に挿入された変調解像度補強信号とが多重化されたコンポジット信号を、ディジタルビデオ信号記録／再生手段によって記録し、記録媒体からディジタルビデオ信号記録／再生手段によって再生された再生信号から得られるコンポーネント信号を、輝度信号と、搬送色信号と、搬送色信号の帯域内に含まれ、且つ所定のライン番号に含まれる変調解像度補強信号とが多重化されたコンポジット信号へ変換して出力し、ディジタルビデオ信号記録／再生手段がアナログまたはディジタル輝度信号と、二つのアナログまたはディジタル色差信号とからなるコンポーネント信号が入力され、コンポーネント信号に対して記録処理を施すことによって記録信号を生成し、ディジタルビデオ信号記録／再生手段が再生信号に対して再生処理を施すことによって、アナログまたはディジタル輝度信号と、二つのアナログまたはディジタル色差信号とからなるコンポーネント信号を出力するものである、ビデオ信号記録／再生方法であって、コンポジット信号を受け取り、輝度信号と搬送色信号とを分離するＹ／Ｃ分離のステップと、搬送色信号を復調して成る第１および第２の線順次化された色差信号出力をディジタルビデオ信号記録手段の色信号入力端子に供給すると共に、変調解像度補強信号を復調して成る解像度補強信号を線順次化して第１および第２の線順次化された色差信号に挿入して上記色信号入力端子に供給するステップと、輝度信号と搬送色信号とを分離するためのＹ／Ｃ分離手段で分離された輝度信号のうち解像度補強信号部分を黒のレベルの信号にして、ディジタルビデオ信号記録手段の輝度信号入力とするステップとディジタルビデオ信号再生手段からの色差信号に多重された解像度補強信号を変調するステップと、変調された解像度補強信号と搬送色信号とを選択的にＹ／Ｃ混合手段に供給するステップとからなるテレビジョン信号の記録／再生方法である。
【００２１】
【作用】
この発明は、上述のような構成を有するために、ＰＡＬｐｌｕｓ信号に含まれるヘルパー信号を、色信号として記録できる。それにより、ディジタルＶＣＲにＰＡＬｐｌｕｓ信号を、支障なく記録／再生することができる。
【００２２】
【実施例】
ここで、この発明の一実施例に説明に先んじて、この発明の理解を容易にするために、ディジタルＶＣＲ（ビデオカセットレコーダ）の一例について説明する。この例では、コンポジットディジタルカラービデオ信号が輝度信号Ｙ、色差信号ＣＲ  およびＣＢ  に変換され、ＤＣＴ変換と可変長符号を用いた高能率符号を用いた高能率圧縮方式により圧縮され、回転ヘッドにより磁気テープに記録される。記録方式としては、ＳＤ方式（５２５ライン／６０Ｈｚ、６２５ライン／５０Ｈｚ）とＨＤ方式（１１２５ライン／６０Ｈｚ、１２５０ライン／５０Ｈｚ）とが設定できる。
【００２３】
ＳＤ方式の場合には、１フレーム当たりのトラック数が１０トラック（６２５ライン／５０Ｈｚの場合）、または１２トラック（５２５ライン／６０Ｈｚの場合）、ＨＤ方式の場合には、１フレーム当たりのトラック数がＳＤ方式の倍、つまり、２０トラック（１１２５ライン／６０Ｈｚの場合）、または２４トラック（１２５０ライン／５０Ｈｚの場合）である。
【００２４】
このようなディジタルＶＣＲにおいて、データ管理が容易で、ディジタルＶＣＲを汎用性のある記録再生装置として利用可能とするためのシステムとして、本願出願人は、先にアプリケーションＩＤなるシステムを提案している。このシステムを用いると、ビデオの予備データＶＡＵＸ（Ｖｉｄｅｏ  Ａｕｘｉｌｉａｒｙ  ｄａｔａ）  、オーディオの予備データＡＡＵＸ（Ａｕｄｉｏ  Ａｕｘｉｌｉａｒｙ  ｄａｔａ）やサブコード、およびＭＩＣ（Ｍｅｍｏｒｙ  Ｉｎ  Ｃａｓｓｅｔｔｅ）  と呼ばれるメモリを有するメモリ付カセットの管理が容易となる。そして、パックを用いて、オーディオデータのアフレコやビデオデータのインサートおよびＶブランキング期間に多重されているデータ（放送局の運用信号や医療用信号等）を記録している。
【００２５】
まず、このアプリケーションＩＤシステムに関して説明する。この発明が適用されたディジタルＶＣＲのテープでは、図１０Ａに示すように、テープ上に斜めトラックが形成される。１フレーム当たりのトラック数は、上述のように、ＳＤ方式で１０トラックと１２トラック、ＨＤ方式で２０トラックと２４トラックである。図１０Ｂは、ディジタルＶＣＲに用いられるテープの１本のトラックを示す。トラック入口側には、ＩＴＩ（Ｉｎｓｅｒｔ  ａｎｄ  Ｔｒａｃｋ  Ｉｎｆｏｒｍａｔｉｏｎ）なるアフレコを確実に行うためのタイミングブロックが設けられる。これは、それ以降のエリアに書かれたデータをアフレコして書き直す場合に、そのエリアの位置決めを正確にするために設けられるものである。
【００２６】
どのようなディジタル信号記録再生応用装置においても、特定エリアのデータの書き換えは必須なので、このトラック入口側のＩＴＩエリアは必ず存在することになる。つまり、ＩＴＩなるエリアに短いシンク長のシンクブロックを多数個書いておき、その中にトラック入口側から順にそのシンク番号を振っておく。アフレコをしようとする時、このＩＴＩエリアのシンクブロックのどれかを検出できれば、そこに書いてある番号から現在のトラック上の位置が正確に判断できる。それに基づいて、アフレコのエリアを確定することができる。一般的に、トラック入口側は、メカ精度等の関係からヘッドの当たりが取り難く不安定である。そのために、シンク長を短くして多数個のシンクブロックを書いておくことにより、検出確率を高くしている。
【００２７】
このＩＴＩエリアは、図１１に示すように、プリアンブル、ＳＳＡ、ＴＩＡおよびポストアンブルの４つの部分からなる。１４００ビットのプリアンブルは、ディジタル信号再生のＰＬＬのランインの働き等をする。ＳＳＡ（Ｓｔａｒｔ  Ｓｙｎｃ  ｂｌｏｃｋ  Ａｒｅａ  ）は、この機能のために用いられるものであり、１ブロック３０ビットで構成され、６１ブロックある。その後ろにＴＩＡ（Ｔｒａｃｋ  Ｉｎｆｏｒｍａｔｉｏｎ  Ａｒｅａ）がある。これは、３ブロック９０ビットで構成される。ＴＩＡは、トラック全体に関わる情報を格納するエリアであって、この中におおもとのＡｐｐｌｉｃａｔｉｏｎ  ＩＤであるＡＰＴ（Ａｐｐｌｉｃａｔｉｏｎ  ＩＤ  ｏｆ  ａ  Ｔｒａｃｋ  ）３ビット、トラックピッチを表すＳＰ／ＬＰ１ビット、リザーブ１ビット、それにサーボシステムの基準フレームを示すＰＦ（Ｐｉｌｏｔ  Ｆｒａｍｅ  ）１ビットの計６ビットが格納される。最後にマージンを稼ぐためのポストアンブル２８０ビットがある。
【００２８】
また上述の装置において、記録媒体の収納されるカセットにメモリＩＣの設けられた回路基板を搭載して、このカセットが装置に装着されるとこのメモリＩＣに書き込まれたデータを読み出して記録再生の補助を行うようにすることが既に提案されている。ここではこれをＭＩＣと呼ぶことにする。
【００２９】
ＭＩＣには、テープ長、テープ厚、テープ種類等のテープ自体の情報と共に、ＴＯＣ（Ｔａｂｌｅ  Ｏｆ  Ｃｏｎｔｅｎｔｓ  ）情報、インデックス情報、文字情報、再生制御情報、タイマー記録情報等を記憶しておくことができる。ＭＩＣを有するカセットテープをディジタルＶＣＲに接続すると、例えばＭＩＣに記憶されたデータが読み出され、所定のプログラムにスキップしたり、プログラムの再生順を設定したり、所定のプログラムの場面を指定して静止画（フォト）を再生したり、タイマー予約で記録したりすることが可能となる。
【００３０】
アプリケーションＩＤは、上述のＴＩＡエリアのＡＰＴだけでなく、このＭＩＣの中にもＡＰＭ（Ａｐｐｌｉｃａｔｉｏｎ  ＩＤ  ｏｆ  ＭＩＣ  ）として、アドレス０の上位３ビットに格納されている。アプリケーションＩＤの定義は、
アプリケーションＩＤはデータ構造を規定する、としている。
要するに、アプリケーションＩＤはその応用例を決めるＩＤではなく、単にそのエリアのデータ構造を決定しているだけである。従って、以下の意味付けがなされる。
ＡＰＴ・・・トラック上のデータ構造を決める。
ＡＰＭ・・・ＭＩＣのデータ構造を決める。
ＡＰＴの値により、トラック上のデータ構造が規定される。
【００３１】
つまり、ＩＴＩエリア以降のトラックが、図１２のようにいくつかのエリアに分割され、それらのトラック上の位置、シンクブロック構成、エラーからデータを保護するためのＥＣＣ構成等のデータ構造が一義に決まる。さらに各エリアには、それぞれそのエリアのデータ構造を決めるアプリケーションＩＤが存在する。その意味付けは単純に以下のようになる。
エリアｎのアプリケーション・・・エリアｎのデータ構造を決める。
【００３２】
アプリケーションＩＤは、図１３のような階層構造を持つ。おおもとのアプリケーションＩＤであるＡＰＴによりトラック上のエリアが規定され、その各エリアにさらにＡＰ１〜ＡＰｎが規定される。エリアの数は、ＡＰＴにより定義される。図１３では二階層で記されているが、必要に応じてさらにその下に階層を形成してもよい。ＭＩＣ内のアプリケーションＩＤであるＡＰＭは一階層のみである。その値は、ディジタルＶＣＲによりその機器のＡＰＴと同じ値が書き込まれる。
【００３３】
ところで、このアプリケーションＩＤシステムにより、家庭用のディジタルＶＣＲを、そのカセット、メカニズム、サーボシステム、ＩＴＩエリアの生成検出回路等をそのまま流用して、全く別の商品群、例えばデータストリーマーやマルチトラック・ディジタルオーディオテープレコーダーのようなものを作ることも可能である。また１つのエリアが決まってもその中味をさらに、そのエリアのアプリケーションＩＤで定義できるので、あるアプリケーションＩＤの値の時はそこはビデオデータ、別の値の時はビデオ・オーディオデータ、またはコンピューターデータというように非常に広範なデータ設定を行うことが可能になる。
【００３４】
次にＡＰＴ＝０００の時の様子を図１４Ａに示す。この図に示されるように、トラック上にエリア１、エリア２、エリア３が規定される。そしてそれらのトラック上の位置、シンクブロック構成、エラーからデータを保護するためのＥＣＣ構成、それに各エリアを保証するためのギャップや重ね書きを保証するためのオーバーライトマージンが決まる。さらに各エリアには、それぞれそのエリアのデータ構造を決めるアプリケーションＩＤが存在する。その意味付けは単純に以下のようになる。
ＡＰ１・・・エリア１のデータ構造を決める。
ＡＰ２・・・エリア２のデータ構造を決める。
ＡＰ３・・・エリア３のデータ構造を決める。
【００３５】
そしてこの各エリアのアプリケーションＩＤが、０００の時を以下のように定義する。
ＡＰ１＝０００・・ＣＶＣＲのオーディオ、ＡＡＵＸのデータ構造を採る
ＡＰ２＝０００・・ＣＶＣＲのビデオ、ＶＡＵＸのデータ構造を採る
ＡＰ３＝０００・・ＣＶＣＲのサブコード、ＩＤのデータ構造を採る
ここで
ＣＶＣＲ：家庭用ディジタル画像音声信号記録再生装置
ＡＡＵＸ：オーディオ予備データ
ＶＡＵＸ：ビデオ予備データ
と定義する。すなわち家庭用のディジタルＶＣＲを実現するときは、図１４Ｂに示すように、
ＡＰＴ、ＡＰ１、ＡＰ２、ＡＰ３＝０００
となる。当然、ＡＰＭも０００の値を採る。
【００３６】
ＡＰＴ＝０００の時には、ＡＡＵＸ、ＶＡＵＸ、サブコードおよびＭＩＣの各エリアは、すべて共通のパック構造で記述される。図１５に示すように、１つのパックは５バイト（ＰＣ０〜ＰＣ４）で構成され、先頭の１バイトがヘッダ、残りの４バイトがデータである。パックとは、データグループの最小単位のことで、関連するデータを集めて１つのパックが構成される。
【００３７】
ヘッダ８ビットは、上位４ビット、下位４ビットに分かれ、階層構造を形成する。図１６のように、上位４ビットを上位ヘッダ、下位４ビットを下位ヘッダとして二階層とされ、さらにデータのビットアサインによりその下の階層まで拡張することができる。この階層化により、パックの内容は明確に系統だてられ、その拡張も容易となる。そしてこの上位ヘッダ、下位ヘッダによる２５６の空間は、パックヘッダ表として、その各パックの内容と共に準備される。これを用いて、上述の各エリアが記述される。パック構造は５バイトの固定長を基本とするが、例外としてＭＩＣ内に文字データを記述する時のみ、可変長のパック構造を用いる。これは限られたバッファメモリを有効利用するためである。
【００３８】
図１７に、ヘッダのバイトＰＣ０が（６６ｈ）とされる、ＴＲパックのデータ配置を示す。パックのデータ構造としては、ヘッダに対応して多数存在するが、図１７に示すパックは、この発明と関連が強いものである。この図に示すように、データタイプ４ビットで各種信号を区別する。このデータタイプは、現在では次のように定義されている。
００００＝ＶＢＩＤ
０００１＝ＷＳＳ
００１０＝ＥＤＴＶ−２  ｉｎ  ２２ライン
００１１＝ＥＤＴＶ−２  ｉｎ  ２８５ライン
０１００＝Ｎｏ  Ｉｎｆｏｒｍａｔｉｏｎ
その他  ＝未定義
【００３９】
オーディオとビデオの各エリアは、それぞれオーディオセクタ、ビデオセクタと呼ばれる。図１８にオーディオセクタの構成を示す。なお、オーディオセクタは、プリアンブル、データ部およびポストアンブルからなる。プリアンブルは、５００ビットで構成され、ランアップ４００ビット、２つのプリシンクブロックからなる。ランアップは、ＰＬＬの引き込みのためのランアップパターンとして用いられ、プリシンクは、オーディオシンクブロックの前検出として用いられる。データ部は、１０５００ビットからなる。後ろのポストアンブルは、５５０ビットで構成され、１つのポストシンクブロック、ガードエリア５００ビットからなる。ポストシンクは、そのＩＤのシンク番号によりこのオーディオセクタの終了を確認させるものであり、ガードエリアは、アフレコしてもオーディオセクタがその後ろのビデオセクタに食い込まないようガードするためのものである。
【００４０】
プリシンク、ポストシンクの各ブロックは、図１９Ａおよび図１９Ｂに示すように、どちらも６バイトで構成される。プリシンクの６バイト目には、ＳＰ／ＬＰの判別バイトがある。（ＦＦｈ）でＳＰ、（００ｈ）でＬＰを表す。ポストシンクの６バイト目は、ダミーデータとして（ＦＦｈ）を格納する。ＳＰ／ＬＰの識別バイトは、前述のＴＩＡエリアにもＳＰ／ＬＰフラグとして存在するが、これはその保護用である。ＴＩＡエリアの値が読み取れれば、それを採用し、もし読み取り不可ならこのエリアの値を採用する。プリシンク、ポストシンクの各６バイトは、２４−２５変換（２４ビットのデータを２５ビットに変換して記録する変調方式）を施してから記録されるので、総ビット長は、
プリシンク    ６×２×８×２５÷２４＝１００ビット
ポストシンク  ６×１×８×２５÷２４＝  ５０ビット
となる。
【００４１】
オーディオシンクブロックは、図２０のように、９０バイトで１シンクブロックが構成される。前半の５バイトは、プリシンク、ポストシンクと同様の構成とされる。データ部は７７バイトで、水平パリティＣ１（８バイト）と垂直パリティＣ２（５シンクブロック）により保護されている。オーディオシンクブロックは、１トラック当たり１４シンクブロックからなり、これに２４−２５変換を施してから記録するので、総ビット長は、
９０×１４×８×２５÷２４＝１０５００ビット
となる。データ部の前半５バイトは、ＡＡＵＸ用で、これで１パックが構成され、１トラック当たり９パック用意される。図２０の０から８までの番号は、トラック内のパック番号を表す。
【００４２】
図２１は、そのＡＡＵＸの部分を抜きだして、トラック方向に記述した図である。１ビデオフレームは、５２５ライン／６０Ｈｚシステムの場合に１０トラックで、６２５ライン／５０Ｈｚシステムの場合に１２トラックで構成される。オーディオやサブコードもこの１ビデオフレームに従って記録再生される。図２１において、５０から５５までの数字は、パックヘッダの値（ＦＦｈ）を示す。
【００４３】
図２１からも分かるように、１０トラック内のＡＡＵＸとして、同じパックを１０回書いている。この部分をメインエリアと称する。ここには、オーディオ信号を再生するために必要なサンプリング周波数、量子化ビット数等の必須項目が主として格納される。なお、データ保護のために多数回書かれる。これにより、テープトランスポートにありがちな横方向の傷や片チャンネルクロッグ等が発生した場合でも、メインエリアのデータを再現できる。
【００４４】
それ以外の残りのパックは、すべて順番につなげてオプショナルエリアとして用いられる。図２１でａ、ｂ、ｃ、ｄ、ｅ、ｆ、ｇ、ｈ、……のように、矢印の方向にメインエリアのパックを抜かしてつなげていく。１ビデオフレームで、オプショナルエリアは３０パック（５２５ライン／６０Ｈｚ）、または３６パック（６２５ライン／５０Ｈｚ）用意される。このエリアは、文字どおりオプションなので、各ディジタルＶＣＲ毎に、パックヘッダ表のなかから自由にパックを選んで記述してよい。
【００４５】
図２２は、ビデオセクタの構成を示す。プリアンブルおよびポストアンブルの構成は、図２３に示されるオーディオセクタと同様である。ただし、ポストアンブルのガードエリアのビット数は、オーディオセクタのそれと比べて多くなっている。ビデオセクタ内に１４９個含まれるビデオシンクブロックは、図２３のようにオーディオと同じ９０バイトで１シンクブロックが構成される。
【００４６】
シンクブロックの先頭の５バイトは、プリシンク、ポストシンク、オーディオシンクと同様の構成である。データ部は７７バイトで、図２４のように水平パリティＣ１（８バイト）と垂直パリティＣ２（１１シンクブロック）により保護されている。図２４の上部２シンクブロックとＣ２パリティの直前の１シンクブロックはＶＡＵＸ専用のシンクで、７７バイトのデータはＶＡＵＸデータとして用いられる。ＶＡＵＸ専用シンクとＣ２シンク以外は、ＤＣＴ（離散コサイン変換）を用いて圧縮されたビデオ信号のビデオデータが格納される。ビデオデータは、２４−２５変換を施してから記録するので、ビデオセクタの総ビット長は、
９０×１４９×８×２５÷２４＝１１１７５０ビット
である。
【００４７】
図２４は、ビデオセクタの１４９シンクブロックを縦に並べたものである。図２４において、中央部の１３５シンクブロックが、ビデオ信号の格納エリアである。図中、ＢＵＦ０からＢＵＦ２６は、それぞれバッファリングユニットを示している。１バッファリングユニットは、５シンクブロックで構成され、１トラックに２７個のバッファリングユニットが含まれる。また、１ビデオフレーム、１０トラックでは、２７０バッファリングユニット存在する。つまり、１フレームの画像データのうち、画像として有効なエリアを抜き出し、そこをサンプリングしたディジタルデータを実画像の様々な部分からシャッフリングして集め２７０個のグループが形成される。その１グループが、１バッファリングユニットである。
【００４８】
１バッファリングユニット毎に、ＤＣＴ変換、量子化、可変長符号化等によってデータ圧縮を試み、発生する符号化データが目標データ量以下かどうかが評価される。そして、発生データ量が目標値以下となるような量子化ステップが決定され、決定された量子化ステップを用いて実際の符号化がなされる。そして、発生した符号化データが１バッファリングユニット、５シンクに詰め込まれる。
【００４９】
さらに、図２５は、サブコードセクタの構成を示す。サブコードセクタのプリアンブル、ポストアンブルには、オーディオセクタやビデオセクタと異なりプリシンクおよびポストシンクが存在しない。また他のセクタよりも、その長さが長くなっている。これは、サブコードセクタがインデックス打ち込みなど頻繁に書き換える用途に用いられ、また、トラック最後尾にあるためトラック前半のずれが全部加算された形でそのしわ寄せがくるためである。サブコードシンクブロックは、図２６のように高々１２バイトしかない。前半の５バイトは、プリシンク、ポストシンク、オーディオシンク、ビデオシンクと同様の構成である。続く５バイトはデータ部で、これらによってパックが構成される。
【００５０】
水平パリティＣ１は、２バイトであり、これがデータ部を保護している。また、オーディオデータおよびビデオデータのようにＣ１、Ｃ２によるいわゆる積符号構成は、サブコードでは、採用されていない。これは、サブコードが主として高速サーチ用のものであり、Ｃ１パリティと共にＣ２パリティまで再生できることが少ないからである。また、２００倍程度まで高速サーチするために、シンク長も１２バイトと短くしてある。サブコードシンクブロックは、１トラック当り１２シンクブロックあり、これに２４−２５変換を施してから記録するので、サブコードセクタの総ビット長は、
１２×１２×８×２５÷２４＝１２００ビット
である。
【００５１】
以下、この発明の一実施例について説明する。この一実施例は、基本的には、ＰＡＬｐｌｕｓ信号をディジタルＶＣＲによってカセットテープに記録し、また、カセットテープからＰＡＬｐｌｕｓ信号を再生することを可能とするものである。そして、再生されたＰＡＬｐｌｕｓ信号がＰＡＬｐｌｕｓのデコーダに供給され、ＰＡＬｐｌｕｓの再生画像を得ることができる。このディジタルＶＣＲでは、コンポジットカラービデオ信号がディジタル輝度信号Ｙ、色差信号ＣＲ  およびＣＢ  に分離され、ＤＣＴ変換と可変長符号を用いた高能率符号化方式により圧縮されて記録される。
【００５２】
この発明においては、変調垂直解像度補強信号（以下、変調ヘルパー信号と称する）を復調し垂直解像度補強信号（以下、ヘルパー信号と称する）とし、ＰＡＬｐｌｕｓのデコード処理が施される以前のコンポーネント信号における色差信号として記録する。このとき、例えばＰＡＬｐｌｕｓ方式においては、上述したように、このコンポーネント信号は、所謂（４：２：０）コンポーネント信号とされており、線順次化の際に色差信号が間引かれてしまう。そこでこの発明では、線順次化フィルタの出力に対し交互に、すなわち、線順次化フィルタの出力が色差信号ＣＲ  となるラインではＣＲ  に、色差信号ＣＢ  となるラインではＣＢ  にヘルパー信号を挿入する。
【００５３】
また、第２３ラインに対して割り当てられている、ワイド画面であるか否か、また、ヘルパー信号の有無の識別等の識別、制御用の信号であるＷＳＳビットおよびヘルパー基準バースト信号が所定の予備データ領域に記録される。また、第６２３ラインに割り当てられている白レベルおよび黒レベルの基準信号が所定の別の予備データ領域に記録される。再生時には、これらのＷＳＳビットや白レベルおよび黒レベルの基準信号は、それぞれ復元され所定のラインに挿入される。
【００５４】
また、無画部に挿入されている、垂直解像度補強信号であるヘルパー信号は、復調し色差信号として処理する。この復調されたヘルパー信号の帯域は、３ＭＨｚ程度である。また、ディジタルＶＣＲでは入力が（４：２：０）コンポーネント信号とされており、色差信号の水平帯域が３ＭＨｚ程度となるため、ヘルパー信号を損失無く記録できる。
【００５５】
図１は、上述したテープフォーマット上にＰＡＬｐｌｕｓ信号を記録する際の全体の構成の例を示す。入力端子１がＹ／Ｃ分離回路２およびＷＳＳ検出回路３に共に接続される。ＷＳＳ検出回路３がＷＳＳ再書き込み回路４に接続され、ＷＳＳ再書き込み回路４がディジタルＶＣＲ５０のデータ入力端子５１に接続される。ヘルパーキラーモードコントローラ５がＷＳＳ再書き込み回路４およびＰＡＬｐｌｕｓ記録側処理回路６の入力端子２０に共に接続される。
【００５６】
Ｙ／Ｃ分離回路２のＹ信号出力端がローパスフィルタ７ａに接続される。Ｙ／Ｃ分離回路２の信号Ｃ／ヘルパー信号出力端がＰＡＬデコーダ８に接続され、ＰＡＬデコーダ８のＣＢ  信号／ヘルパー信号出力端およびＣＲ  信号出力端がそれぞれローパスフィルタ７ｂ、７ｃに接続される。ローパスフィルタ７ａ、７ｂ、７ｃがＡ／Ｄ変換器９ａ、９ｂ、９ｃにそれぞれ接続される。
【００５７】
Ａ／Ｄ変換器９ａがＰＡＬｐｌｕｓ記録側処理回路６の入力端子２５に接続される。Ａ／Ｄ変換器９ｂがＰＡＬｐｌｕｓ記録側処理回路６の入力端子３１に接続される。Ａ／Ｄ変換器９ａがＰＡＬｐｌｕｓ記録側処理回路６の入力端子３６に接続される。
【００５８】
ＰＡＬｐｌｕｓ記録側処理回路６の出力端子３７がディジタルＶＣＲ５０の入力端子５２に接続される。ＰＡＬｐｌｕｓ記録側処理回路６の出力端子４４がディジタルＶＣＲ５０の入力端子５３に接続される。ＰＡＬｐｌｕｓ記録側処理回路６のデータ出力端子３０がディジタルＶＣＲ５０のデータ入力端子５４に接続される。
【００５９】
入力端子１に、例えばアンテナによって受信されたＰＡＬｐｌｕｓ方式の放送がチューナを介しＰＡＬｐｌｕｓ信号とされ、供給される。供給されたこのＰＡＬｐｌｕｓ信号は、Ｙ／Ｃ分離回路２およびＷＳＳ検出回路３に共に供給される。また、図示しないが、この入力端子１から供給されたＰＡＬｐｌｕｓ信号は、同期分離回路にも供給され、垂直および水平同期信号が分離抽出される。これら分離抽出された同期信号が装置全体を制御するためのラインカウンタに供給され、ラインのカウントが行なわれる。
【００６０】
３次元Ｙ／Ｃ分離回路２は、周波数多重化されている輝度信号Ｙおよび搬送色信号Ｃを分離する。これら分離された信号のうち、搬送色信号ＣがＰＡＬ信号デコーダ８に供給され、色差信号Ｂ−ＹおよびＲ−Ｙとされる。このうち、色差信号Ｂ−Ｙには、上述した、垂直解像度補強信号であるヘルパー信号が無画部、すなわち、第２４ライン〜第５９ライン、第２７５ライン〜第３１０ライン、第３３６ライン〜第３７１ライン、および第５８７ライン〜第６２２ラインに挿入されている。
【００６１】
Ｙ／Ｃ分離回路２出力されたＹ信号がローパスフィルタ７ａに供給される。また、ＰＡＬデコーダ８から出力された、色差信号Ｂ−Ｙおよび色差信号Ｒ−Ｙがローパスフィルタ７ａ、７ｂ、７ｃにそれぞれ供給される。これらローパスフィルタ７ａ、７ｂ、７ｃによって余分な高域成分を除去されたＹ信号および色差信号Ｂ−Ｙ、色差信号Ｒ−Ｙは、Ａ／Ｄ変換器９ａ、９ｂ、９ｃにそれぞれ供給される。
【００６２】
なお、図示しないが、ヘルパー信号が挿入された色差信号Ｂ−Ｙが供給されるローパスフィルタ７ｂは、上述したラインカウンタのカウント値に基づいて制御される。すなわち、カウント値が無画部に対応した値になると、このローパスフィルタ７ｂは、そのフィルタ機能がＯＦＦとされる。これは、ヘルパー信号には、ヘルパー機能に対し有効な高域成分が多く含まれており、ローパスフィルタによってこの高域成分がカットされるのを避けるためである。
【００６３】
Ａ／Ｄ変換器９ａ、９ｂ、９ｃにそれぞれ供給された輝度信号Ｙおよび色差信号Ｂ−Ｙ、色差信号Ｒ−Ｙは、ＣＣＩＲ  ＲＥＣ６０１で規定されたレベルになるよう正規化され、ディジタル化される。このＣＣＩＲ  ＲＥＣ６０１の規定においては、白のレベルの最大値がディジタル値で‘２３５’、および黒のレベル（ペデスタルレベル）が‘１６’とされる。このＡ／Ｄ変換器９ａ、９ｂ、９ｃでは、これに基づいて正規化が行なわれる。図２は、この信号のディジタル化における正規化を模式的に示す。なお、この図においては、信号経路中、Ｙ／Ｃ分離回路２およびローパスフィルタ７ａ、７ｂ、７ｃが省略されている。
【００６４】
ＰＡＬｐｌｕｓ信号は、Ｙ／Ｃ分離回路によって輝度信号Ｙと搬送色信号Ｃとに分離される。分離された搬送色信号Ｃは、ＰＡＬデコーダ８に供給される。ＰＡＬデコーダ８に供給された搬送色信号Ｃは、復調され、色差信号Ｂ−Ｙおよび色差信号Ｒ−Ｙとされる。このうち、色差信号Ｂ−Ｙについてはその振幅が２倍とされ、デコーダ内部の信号の正規化が成される。また、上述したように、この色差信号Ｂ−Ｙには、無画部にヘルパー信号が挿入されている。勿論、この無画部に挿入されたヘルパー信号も復調される。
【００６５】
このようにして得られた色差信号Ｂ−Ｙ、色差信号Ｒ−Ｙ、およびＹ信号のレベルの最大値は、以下のような値となる。
輝度信号Ｙ    ＝０．７Ｖ
色差信号Ｒ−Ｙ＝０．９８１４ＶＰ−Ｐ  
色差信号Ｂ−Ｙ＝１．２４０４ＶＰ−Ｐ  
【００６６】
また、色差信号Ｂ−Ｙに挿入されているヘルパー信号のレベルの最大値は、以下のような値となる。
ヘルパー信号＝０．６ＶＰ−Ｐ  
ヘルパー信号のリファレンスバースト信号＝０．３ＶＰ−Ｐ  
【００６７】
これらの信号がＡ／Ｄ変換器９ａ、９ｂ、９ｃ（図２は模式図であり、ここではこれらのＡ／Ｄ変換器を特に区別しない）においてディジタル化される際に、色差信号Ｒ−Ｙには係数ＫＲ  が、また、色差信号Ｂ−Ｙおよびヘルパー信号、ヘルパー信号のリファレンスバースト信号には係数ＫＢ  がそれぞれ掛け合わされ、以下のような値とされる。
輝度信号Ｙ    ＝０．７Ｖ
色差信号Ｒ−Ｙ＝０．７１６ＶＰ−Ｐ  
色差信号Ｂ−Ｙ＝０．７１６ＶＰ−Ｐ  
ヘルパー信号  ＝０．３４６ＶＰ−Ｐ  
ヘルパー信号のリファレンスバースト信号＝０．１７３Ｐ−Ｐ  Ｖ
【００６８】
さらに、これらの信号がディジタル化された際のレベルは、ディジタル値で以下のような値とされ、ＣＣＩＲ  ＲＥＣ６０１に則った正規化が成される。
輝度信号Ｙ    ＝‘２１９’
色差信号Ｒ−Ｙ＝‘２２４’
色差信号Ｂ−Ｙ＝‘２２４’
ヘルパー信号  ＝‘１０８’
ヘルパー信号のリファレンスバースト信号＝‘５４’
【００６９】
なお、後述するが、これらの信号のうち、ヘルパー信号およびヘルパー信号のリファレンスバースト信号には、さらに２倍あるいは１／２倍とされる場合がある。また、正規化された色差信号Ｒ−Ｙ、色差信号Ｂ−Ｙは、それぞれ色差信号ＣＲ  、色差信号ＣＢ  と称され、以後の信号処理は、輝度信号Ｙも含め、ディジタル処理とされる。
【００７０】
このようにしてＡ／Ｄ変換器９ａ、９ｂ、９ｃによって正規化が行なわれた信号は、ＰＡＬｐｌｕｓ記録側処理回路６の対応する入力端子にそれぞれ供給される。すなわち、輝度信号Ｙが入力端子２５に、色差信号ＣＢ  ／ヘルパー信号が入力端子３１に、また、色差信号ＣＲ  が入力端子３６にそれぞれ供給される。
【００７１】
一方、ＷＳＳ検出回路３には、上述のラインカウンタから出力されたカウント値が供給されている（図示しない）。このカウント値に基づき、ＷＳＳ検出回路３に供給されたＰＡＬｐｌｕｓ信号は、その信号の第２３ライン中のＷＳＳ信号が検出され、この検出されたＷＳＳ信号がデコードされＷＳＳ書き換え回路４に供給される。上述したように、検出されたこのＷＳＳ信号は、上述したように、ヘルパー信号の有無の識別、あるいはアスペクト比などの、ＰＡＬｐｌｕｓの各モードの識別、制御用の情報を含むものである。このＷＳＳ信号が供給されたＷＳＳ書き換え回路４によって、その内容が書き換え可能とされる。書き換え可能とされたこのＷＳＳ信号は、ディジタルＶＣＲ５０のデータ入力端子５１に供給される。そして、後述するが、このディジタルＶＣＲ５０において、上述したＴＲパックに書き込まれる。
【００７２】
ヘルパーキラーモードコントロール回路５からのヘルパーキラー信号がＷＳＳ書き換え回路４、およびＰＡＬｐｌｕｓ記録側処理回路６のヘルパーキラー入力端子２０に共に供給される。このヘルパーキラーモードコントロール回路５は、外部からの入力などによってヘルパー機能をＯＦＦ、すなわち、ＰＡＬｐｌｕｓ方式における垂直解像度補強の機能をカットするものである。
【００７３】
これは、例えばＰＡＬｐｌｕｓ方式によるビデオ信号の記録において、ＰＡＬｐｌｕｓ方式に対応していないビデオレコーダや、ディジタルＶＣＲとして記録帯域が狭いものが用いられた場合などに使用される。２値データであるＷＳＳ信号は、高域成分を多く含んでいるため、通常のビデオ信号と同じ方法で記録されると信号に歪が生じる。このように記録された信号がＰＡＬｐｌｕｓ方式に対応しているテレビジョン受像機などで再生された場合、この歪を含んだＷＳＳ信号が復調された際に、このＷＳＳ信号に含まれる、ＰＡＬｐｌｕｓ方式における識別、制御用信号が正しく復元されず、受像機が誤動作を起こしてしまう可能性がある。
【００７４】
また、通常の搬送色信号より高い周波数帯域を有するヘルパー信号が十分に記録できない場合、再生時に、ヘルパー信号による垂直解像度補強の効果が出ないばかりではなく、画面に悪影響を及ぼす可能性もある。
【００７５】
これらの場合、このヘルパーキラーモードコントロール回路５によってヘルパー機能をＯＦＦとする。すると、ＷＳＳ信号書き換え回路４においては、第２３ラインにおけるＷＳＳ信号のデータがＰＡＬｐｌｕｓ方式ではないことを示す内容に書き替えられる。
【００７６】
ＰＡＬｐｌｕｓ記録側処理回路６においては、詳細は後述するが、ヘルパー信号の期間、すなわち無画部における輝度信号Ｙがディジタル値で‘１６’のペデスタルレベルの信号とすげ替えられ、また、色差信号ＣＢ  およびＣＲ  が共に‘１２８’のレベルの信号とすげ替えられる。さらに、ＷＳＳ信号が記録されている第２３ラインが‘１６’のレベルの信号にすげ替えられる。これらにより、ＷＳＳ信号の不完全な記録による悪影響およびヘルパー信号による画面への悪影響が防がれる。
【００７７】
図３は、上述のＰＡＬｐｌｕｓ記録側処理回路６の構成の一例を示す。この回路において、上述したヘルパーキラー機能の実現およびＷＳＳ信号が記録されている第２３ラインのミュートが行なわれる。また、後述する、ヘルパー信号のＤＣレベルのシフト、色差信号の線順次化、および第２３ライン、第６２３ラインのラッチが行なわれる。
【００７８】
入力端子２０がスイッチ回路２２、２３、２４によって構成されるヘルパーキラー回路２１に接続される。入力端子２５がディレイ回路２６に接続され、ディレイ回路２６がラッチ回路２７およびミュート回路２８を構成するスイッチ回路２９の入力端２９ａに接続される。スイッチ回路２９の出力端がヘルパーキラー回路２１に含まれるスイッチ回路２２の入力端２２ａに接続される。スイッチ回路２９の入力端２９ｂが固定のディジタルレベル源に接続され、そのレベルが‘１６’とされる。ラッチ回路２７がデータ出力端子３０に接続される。
【００７９】
入力端子３１がスイッチ回路３２の共通入力端に接続され、スイッチ回路３２の出力端３２ａがスイッチ回路３３の共通入力端に接続される。スイッチ回路３３の出力端３３ａが振幅増幅設定回路３４に接続され、振幅増幅設定回路３４がＤＣレベルシフト回路３５およびスイッチ回路３３の出力端３３ｂに接続される。ＤＣレベルシフト回路３５がスイッチ回路３２の出力端３２ｂおよびヘルパーキラー回路２１に含まれるスイッチ回路２３の入力端２３ａに接続される。入力端子３６がヘルパーキラー回路２１に含まれるスイッチ回路２４の入力端２４ａに接続される。
【００８０】
ヘルパーキラー回路２１に含まれるスイッチ回路２２、２３、２４の入力端２２ｂ、２３ｂ、２４ｂがそれぞれ固定のディジタルレベル源に接続される。入力端２２ｂが‘１６’のレベルと接続され、入力端２３ｂおよび入力端２４ｂが共に‘１２８’のレベルと接続される。スイッチ回路２２の出力端が出力端子３７に接続される。スイッチ回路２３およびスイッチ回路２４の出力端は、線順次化回路３８にそれぞれ接続される。
【００８１】
この線順次化回路３８は、ローパスフィルタ３９、４０、スイッチ回路４１、４２、４３から構成されるものである。スイッチ回路２３の出力端が線順次化回路３８に含まれるローパスフィルタ３９に接続されると共に、スイッチ回路４１の入力端４１ａおよびスイッチ回路４２の入力端４２ａに接続される。ヘルパーキラー回路２１に含まれるスイッチ回路２４の出力端がローパスフィルタ４０に接続される。ローパスフィルタ３９がスイッチ回路４１の入力端４１ｂに接続され、スイッチ回路４１の出力端がスイッチ回路４３の入力端４３ａに接続される。ローパスフィルタ４０がスイッチ回路４２の入力端４２ｂに接続され、スイッチ回路４２の出力端がスイッチ回路４３の入力端４３ｂに接続される。スイッチ回路４３の出力端が線順次化回路３８の出力端であって、このＰＡＬｐｌｕｓ記録側処理回路６の出力端子４４に接続される。
【００８２】
また、このＰＡＬｐｌｕｓ記録側処理回路６には、ラインカウンタ４５が含まれており、このラインカウンタ４５に、上述した同期分離回路（図示しない）から供給される垂直同期信号、水平同期信号、およびこの装置全体を制御するシステムクロックによって、映像信号のラインがカウントされ、そのカウント値が出力される。このラインカウンタ４５から出力されるカウント値によって、以下に示す各回路が制御される。
ラッチ回路２７
スイッチ回路３２
ミュート回路２８に含まれるスイッチ回路２９
ヘルパーキラー回路に含まれるスイッチ回路２２、２３、２４
線順次化回路３８に含まれるスイッチ回路４１、４２、４３
【００８３】
なお、このラインカウンタ４５は、上述した、装置全体の制御のためのラインカウンタ（図示しない）としてもよい。また、逆に、上述の装置全体の制御のためのラインカウンタから出力されるカウント値を、このラインカウンタ４５から出力されるカウント値の代わりに用いてもよい。
【００８４】
輝度信号Ｙが入力端子２５を介しディレイ回路２６に供給される。このディレイ回路２６は、ハーフクロック精度、すなわち、システムクロックの半分のタイミングの精度を有するもので、このＰＡＬｐｌｕｓ記録側処理回路６において発生する輝度信号Ｙや色差信号ＣＢ  、ＣＲ  のタイミングのずれなどを修正するためのものである。このディレイ回路２６から出力された輝度信号Ｙがラッチ回路２７に供給される。
【００８５】
ところで、放送局から送出された電波は、テレビジョン受像機に到達するまでの間に、さまざまな妨害を受け減衰させられている。テレビジョン受像機に受信されたこの電波は、上述の白１００％のリファレンス信号を基に、ペデスタルレベルからシンクチップレベルまでのレベルが規定の電圧になるように、ＡＧＣによりゲインコントロールされる。また、上述したサブキャリア周波数のリファレンスバースト信号も、この白１００％のリファレンス信号によってその振幅が復元される。
【００８６】
一方、無画部に挿入されたヘルパー信号は、４．４３ＭＨｚのサブキャリアで変調されている。上述したように、このヘルパー信号のリファレンス信号が図３０に示すように第２３ラインの後半部分に挿入されている。このリファレンス信号を用いてヘルパー信号の復調を行なうためには、このリファレンス信号の位相情報だけでなく、振幅も重要である。この振幅を、放送局からの送出時のレベルに復元するために、第６２３ラインに挿入されている白１００％のレベルのリファレンス信号が用いられる。
【００８７】
すなわち、受信されたＰＡＬｐｌｕｓ信号がチューナ内部のＡＧＣによりゲインコントロールされた後、ＰＡＬｐｌｕｓ画像信号のデコーダに入力される。このデコーダにおいて、入力された信号の第６２３ラインの白１００％のレベルが規定の電圧レベルになるようにゲインコントロールされる。こうすることにより、第２３ラインに挿入されているサブキャリア信号のリファレンスの振幅を、放送局からの送出時のレベルに戻すことができ、ＰＡＬｐｌｕｓ方式本来の高画質を再生することが可能となる。
【００８８】
このＰＡＬｐｌｕｓ方式による画像信号を記録しようとするディジタルＶＣＲにおいては、有効画面だけを抽出して圧縮符号化し、垂直ブランキング期間や水平ブランキング期間のデータは落とされている。したがって、もう一方の、第６２３ラインに挿入されている白１００％のリファレンス信号は、無画部である垂直ブランキング期間に存在するために、切り捨てられてしまう。
【００８９】
上述したように、この白１００％のリファレンス信号により、受信されたテレビジョン信号の全体のレベルが決定される。このとき、電界強度が十分に強い地域での受信であれば、このリファレンス信号が失われていても規定のレベルで信号を復元することが可能である。しかしながら、そのような理想的な状況でない場合、特に弱電界地域においては、復元された輝度信号のリファレンスの電圧が規定の白１００％のレベルになることは期待できない。
【００９０】
この場合においても、既存のＰＡＬ方式による放送を受信する場合においては、特に大きな問題とはならない。ところが、ＰＡＬｐｌｕｓ方式による画像信号のように、高画質化を図った信号においては、意図された信号が復元できない問題点がある。
【００９１】
そのため、この発明においては、ＰＡＬｐｌｕｓ方式による画像信号に含まれる白１００％のリファレンス信号をラッチ回路２７においてラッチし、白１００％のレベルを抽出し、この抽出されたレベルを示す値をテープの予備領域に記録することによって、この問題を解決している。
【００９２】
このラッチ回路２７は、ラインカウンタ４５によるカウント値によって制御されるものである。上述したように、第６２３ラインに、図３１に示すような白１００％のレベルを示すリファレンス信号が送られてくる。カウント値による制御によって、このラッチ回路２７においてこの第６２３ラインがラッチされる。そして、このラッチされた第６２３ラインに含まれる白１００％のリファレンス信号から、白１００％のレベルが抽出される。抽出されたこの白１００％のレベルは、デジタルデータとされ、データ出力端子３０に供給される。
【００９３】
ここで、何らかの理由（例えばノイズ）によって、第６２３ラインに含まれる白１００％のリファレンス信号から白１００％のデータが取得できなかった場合、例えば（ＦＦｈ）といったデータを代わりにデータ出力端子３０に供給するようにしてもよい。
【００９４】
一方、ディレイ回路２６の出力は、ミュート回路２８にも供給される。このミュート回路２８は、ラインカウンタ４５によるカウント値によって制御されるスイッチ回路２９によって構成されており、ディレイ回路２６の出力は、このスイッチ回路２９の入力端子２９ａに供給される。また、このスイッチ回路２９のもう一方の入力端子である入力端子２９ｂには、ディジタル値で‘１６’の値が供給されている。
【００９５】
このミュート回路２８は、上述の、ＷＳＳ信号が記録されている第２３ラインを‘１６’のレベルの信号にすげ替えるものである。これは、２値（ステップ状）信号であるＷＳＳ信号は、後に行なわれるＤＣＴ圧縮の際の圧縮効率を下げてしまう。そのため、これを回避するために、この信号のすげ替えが行なわれる。
【００９６】
したがって、ラインカウンタ４５からのカウント値が第２３ラインを示す値になると、スイッチ回路２９において、入力端子２９ｂが選択され、第２３ラインが‘１６’のレベルにすげ替えられる。また、第２３ライン以外では、ディレイ回路２６からの輝度信号Ｙが供給されている入力端子２９ａが選択される。このスイッチ回路２９の出力がミュート回路２８の出力とされ、ヘルパーキラー回路２１に含まれるスイッチ回路２２の入力端２２ａに供給される。
【００９７】
ＣＢ  信号／ヘルパー信号入力端子３１に供給された、無画部にヘルパー信号が挿入された色差信号ＣＢ  は、スイッチ回路３２の共通入力端に供給される。スイッチ回路３２の出力端３２ａからの出力は、そのままヘルパーキラー回路２１に含まれるスイッチ回路２３の入力端２３ａに供給される。また、スイッチ回路３２の出力端３２ｂからの出力は、スイッチ回路３３の共通入力端を介し、後述するヘルパー信号のためのＤＣレベルシフト回路３５などに供給される。
【００９８】
このスイッチ回路３２は、上述したように、ラインカウンタ４５からのカウント値によって制御されるものであり、無画部の期間と主画部の期間とでその信号の経路を切り替える。すなわち、図３２を参照し、第２４ライン〜第５９ラインの上部無画部では出力端３２ｂが選択され、第６０ライン〜第２７４の主画部では出力端３２ａが選択され、第２７５ライン〜第３１０ラインの下部無画部では出力端３２ｂが選択される。また、第３３６ライン〜第３７１ラインの上部無画部では出力端３２ｂが選択され、第３７２ライン〜第５８６ラインの主画部では出力端３２ａが選択され、第５８７ライン〜第６２２の下部無画部では出力端３２ｂが選択される。
【００９９】
スイッチ回路３２の出力端３２ｂの出力は、スイッチ回路３３の共通入力端に供給される。このスイッチ回路３３は、外部から供給されるモードコントロール信号によって制御され、出力端３３ａ、３３ｂが切り替えられる。出力端３３ａからの出力は、振幅増幅設定回路３４に供給される。この振幅増幅設定回路３４には、後段のＤＣレベルシフト回路においてヘルパー信号のレベルを２倍、あるいは１／２倍にシフトさせるような情報がセットされており、この回路３４を介した信号にはこのレベルシフトの情報が付加される。この振幅増幅設定回路３４においてレベルシフト情報を付加されたヘルパー信号は、ＤＣレベルシフト回路３５に供給される。
【０１００】
ＤＣレベルシフト回路３５に供給されたヘルパー信号は、付加されたレベルシフト情報に基づきそのレベルをシフトされる。上述したように、このヘルパー信号は、色差信号ＣＢ  と共にＡ／Ｄ変換器９ｂにおいて、ＣＣＩＲ  ＲＥＣ６０１の規格に基づき正規化されており、その基準値ががデジタル値で‘５４’（０．３４６ＶＰ−Ｐ  ）とされ、最大値が‘１０８’とされている。それが、このＤＣレベルシフト回路３５において、シフト量が２倍と設定されていれば基準値が‘１０８’とされ、最大値が‘２１６’とされる。また、１／２倍と設定されていれば基準値が‘２７’とされ、最大値が‘５４’とされる。
【０１０１】
また、上述のスイッチ回路３３において、出力端３３ｂが選択されていればレベルシフト情報が付加されないため、このＤＣレベルシフト回路３５においてもレベルがシフトされない。このＤＣレベルシフト回路３５の出力は、スイッチ回路３２の出力端３２ｂの出力と共にヘルパーキラー回路２１に含まれるスイッチ回路２３の入力端２３ａに供給される。
【０１０２】
このように、ヘルパー信号のレベルを切り替えることによって、ヘルパー信号による垂直解像度補強の効果の程度を変えることができる。それにより、対象となる画像信号や記録／再生を行なう装置に適した垂直解像度補強を行なうことができる。
【０１０３】
なお、ここでレベルシフト量を２倍あるいは１／２倍としたのは、レベルシフトされる信号がディジタル信号であり、ビットシフトによって簡単にレベルシフトが実現されるという理由によるものであり、これらの値に限定されるものではない。
【０１０４】
一方、入力端子３６に供給された色差信号ＣＲ  は、そのままヘルパーキラー回路２１に含まれるスイッチ回路２４の入力端２４ａに供給される。
【０１０５】
ヘルパーキラー回路２１に含まれるスイッチ回路２２、２３、２４の入力端２２ａ、２３ａ、２４ａには、上述したように、輝度信号Ｙ、ヘルパー信号が挿入された色差信号ＣＢ  、および色差信号ＣＲ  がそれぞれ供給される。また、スイッチ回路２２の入力端２２ｂには、ディジタル値で‘１６’の値が供給される。また、スイッチ回路２３、２４の入力端２３ｂ、２４ｂには、ディジタル値で‘１２８’の値がそれぞれ供給されている。
【０１０６】
このヘルパーキラー回路２１は、上述したように、ヘルパーキラーコントロール回路５からヘルパーキラー入力端子２０を介して供給されたヘルパーキラー信号によって、このヘルパーキラーの機能のＯＮ／ＯＦＦが制御される。また、スイッチ回路２２、２３、２４は、このヘルパーキラー信号によって制御されると共に、ラインカウンタ４５からのカウント値によっても制御される。
【０１０７】
ヘルパーキラー機能がＯＮのとき、ラインカウンタ４５からのカウント値に基づいてスイッチ回路２２、２３、２４が制御され、無画部においては各スイッチにおける入力端２２ｂ、２３ｂ、２４ｂがそれぞれ選択される。また、主画部においては各スイッチにおける入力端２２ａ、２３ａ、２４ａがそれぞれ選択される。すなわち、図３２を参照し、第２４ライン〜第５９ラインの上部無画部では入力端２２ｂ、２３ｂ、２４ｂが選択され、第６０ライン〜第２７４の主画部では入力端２２ａ、２３ａ、２４ａが選択され、第２７５ライン〜第３１０ラインの下部無画部では入力端２２ｂ、２３ｂ、２４ｂが選択される。また、第３３６ライン〜第３７１ラインの上部無画部では入力端２２ｂ、２３ｂ、２４ｂが選択され、第３７２ライン〜第５８６ラインの主画部では入力端２２ａ、２３ａ、２４ａが選択され、第５８７ライン〜第６２２の下部無画部では入力端２２ｂ、２３ｂ、２４ｂが選択される。
【０１０８】
このような制御の結果、無画部では、輝度信号Ｙがスイッチ回路２２の入力端２２ｂに供給されたディジタル値で‘１６’のレベルとすげ替えられ、スイッチ回路２２の出力端から出力される。また、ヘルパー信号が挿入された色差信号ＣＢ  がスイッチ回路２３の入力端２３ｂに供給されたディジタル値で‘１２８’のレベルとすげ替えれ、色差信号ＣＲ  がスイッチ回路２４の入力端２４ｂに供給されたディジタル値で‘１２８’のレベルとすげ替えられ、スイッチ回路２３、２４の出力端からそれぞれ出力される。
【０１０９】
また、主画部においては、これらスイッチ回路２２、２３、２４の入力端２２ａ、２３ａ、２４ａにそれぞれ供給された輝度信号Ｙ、ヘルパー信号が挿入された色差信号ＣＢ  、色差信号ＣＲ  は、そのまま各スイッチ回路の出力端から出力される。
【０１１０】
一方、ヘルパーキラー機能がＯＦＦとされているときは、このラインカウンタ４５のカウント値によるスイッチ回路２２、２３、２４の制御が行なわれず、常に各スイッチ回路の入力端は、入力端２２ａ、２３ａ、２４ａが選択される。それにより、各スイッチ回路に供給された輝度信号Ｙ、ヘルパー信号が挿入された色差信号ＣＢ  、色差信号ＣＲ  は、そのまま各スイッチ回路の出力端から出力される。
【０１１１】
このヘルパーキラー回路２１に含まれるスイッチ回路２２の出力は、そのままＹ出力端子３７に導出される。また、スイッチ回路２３およびスイッチ回路２４の出力は、それぞれ線順次化回路３８に供給される。
【０１１２】
上述のＡ／Ｄ変換器９ａ、９ｂ、９ｃの出力側における信号は、所謂（４：２：２）コンポーネント信号であり、これはこのヘルパーキラー回路２１の出力側においても同じである。しかし、ＰＡＬ方式およびＰＡＬｐｌｕｓ方式では、色差信号の線順次化された（４：２：０）コンポーネント信号とされている。そのため、この線順次化回路３８において色差信号を線順次化する。
【０１１３】
スイッチ回路２３から供給される、ヘルパー信号が挿入された色差信号ＣＢ  がローパスフィルタ３９を介し、スイッチ回路４１の入力端４１ｂに供給される。また、スイッチ回路２４から供給される色差信号ＣＲ  がローパスフィルタ４０を介し、スイッチ回路４１の入力端４２ｂに供給される。
【０１１４】
スイッチ回路４１およびスイッチ回路４２からの出力は、スイッチ回路４３の入力端４３ａ、４３ｂにそれぞれ供給される。このスイッチ回路４３は、ラインカウンタ４５からのカウント値によって制御され、ライン毎に間欠的に供給される色差信号ＣＢ  、ＣＲ  に対応し、ライン毎に入力端４３ａおよび４３ｂが切り替えられる。このスイッチ回路４３によって、ヘルパー信号が挿入された色差信号ＣＢ  、および色差信号ＣＲ  が線順次化され、ヘルパー信号を含む記録色信号Ｃ（以下、記録色信号Ｃ／ヘルパー信号と称する）とされる。この記録色信号Ｃ／ヘルパー信号は、出力端子４４に導出される。
【０１１５】
ここで、スイッチ回路４１、４２は、ラインカウンタ４５からのカウント値によって制御され、無画部においては入力端４１ａ、４２ａがそれぞれ選択され、主画部においては入力端４１ｂ、４２ｂがそれぞれ選択される。すなわち、図３２を参照し、第２４ライン〜第５９ラインの上部無画部では入力端４１ａ、４２ａが選択され、第６０ライン〜第２７４の主画部では入力端４１ｂ、４２ｂが選択され、第２７５ライン〜第３１０ラインの下部無画部では入力端４１ａ、４２ａが選択される。また、第３３６ライン〜第３７１ラインの上部無画部では入力端４１ａ、４２ａが選択され、第３７２ライン〜第５８６ラインの主画部では入力端４１ｂ、４２ｂが選択され、第５８７ライン〜第６２２の下部無画部では入力端４１ａ、４２ａが選択される。
【０１１６】
スイッチ回路４１、４２の入力端４１ａ、４２ａには、スイッチ回路２３から、ヘルパー信号が挿入された色差信号ＣＢ  が供給されている。このヘルパー信号には、ヘルパー機能に対し有効な高域成分が多く含まれている。したがって、ローパスフィルタ３９によって高域がカットされてしまうと、垂直解像度補強の効果が薄くなってしまう。そこで、このような、無画部と主画部でスイッチ回路４１、４２の入力端を切り替える制御を行なうことによって、ヘルパー信号が挿入される無画部の期間、ローパスフィルタ３９をバイパスすることができ、ヘルパー信号の高域がカットされない。
【０１１７】
また、スイッチ回路２３から供給される、ヘルパー信号が挿入された色差信号ＣＢ  は、スイッチ回路４１およびスイッチ回路４２の両方に供給されている。したがって、無画部の期間において、ヘルパー信号が色差信号ＣＢ  および色差信号ＣＲ  の両方のタイミングで供給され、スイッチ回路４３の線順次化処理を施しても、ヘルパー信号がライン毎に間引かれず、効率的に垂直解像度補強を行なうことができる。
【０１１８】
ＰＡＬｐｌｕｓ記録側処理回路６の出力端子３７からの輝度信号ＹがディジタルＶＣＲ５０の入力端子５２に供給され、出力端子４４から出力された記録色信号Ｃ／ヘルパー信号が入力端子５３に供給される。また、ＰＡＬｐｌｕｓ記録側処理回路６のデータ出力端子３０から出力された白レベルのリファレンスを示すディジタルデータは、これがディジタルＶＣＲ５０のデータ入力端子５４に供給される。
【０１１９】
図４に、上述のＰＡＬｐｌｕｓ記録側処理回路６から出力された信号を記録するためのディジタルＶＣＲ５０の構成の一例を示す。図４において、入力端子５２、５３には、コンポーネントカラービデオ信号である記録輝度信号Ｙおよび記録色信号Ｃ／ヘルパー信号が供給される。
【０１２０】
供給されたこれら記録輝度信号Ｙおよび記録色信号Ｃ／ヘルパー信号が有効情報抽出回路５５に供給される。有効情報抽出回路５５で、垂直ブランキング期間や水平ブランキング期間等、有効画面外ののデータが落とされ、有効画面内のデータだけが抽出される。ここで、有効ラインとしては、第１フィールドの第２３ライン〜第３１０ラインと、第２フィールドの第３３５ライン〜第６２２ラインとされている。
【０１２１】
ＰＡＬｐｌｕｓでは、アスペクト比のデータや、ヘルパー信号の有無等の識別信号などを示すＷＳＳ信号が第２３ラインに、白１００％のリファレンス信号が第６２３ラインに挿入されているが、第６２３ラインは有効ライン内にないので、ここで除去される。第２３ラインについては、、有効ライン内にあるが、上述のＰＡＬｐｌｕｓ記録側処理回路６におけるミュート回路２８によって、ディジタル値で‘１６’のレベル（ペデスタルレベル）の信号にすげ替えられている。
【０１２２】
有効情報抽出回路５５の出力がブロック化及びシャフリング回路５６に供給される。ブロック化及びシャフリング回路５６で、（８×８）のブロックにブロック化され、そして、圧縮が画面全体で平均化されると共に、ヘッドのクロッグやテープの損傷等でデータが集中的に欠落するのを防ぐために、シャフリングがなされる。
【０１２３】
ブロック化及びシャフリング回路５６の出力が圧縮回路５７に供給される。圧縮回路５７は、ＤＣＴ変換と、可変長符号化により、ビデオデータを圧縮するものである。すなわち、圧縮回路５７は、ＤＣＴ変換回路と、ＤＣＴ変換されたデータを量子化する量子化器と、総符号量を推定し最適な量子化器を決定するエスティメータと、２次元ハフマン符号を用いてデータを圧縮する可変長符号化回路とを有している。圧縮回路５７で、（８×８）の時間領域のデータが（８×８）の周波数領域の係数データに変換され、これが量子化され、可変長符号化される。
【０１２４】
圧縮回路５７の出力がフレーム化回路５８に供給される。フレーム化回路５８で、所定のシンクブロック中に所定の規則で、ビデオデータが詰め込まれる。フレーム化回路５８の出力がＶＡＵＸ付加回路５９に供給される。ＶＡＵＸ付加回路５９には、ＶＡＵＸ発生回路６０から、ＶＡＵＸデータが供給される。ＶＡＵＸ発生回路６０には、コントローラ８０からデータがＶＡＵＸデータが与えられる。ＶＡＵＸ付加回路５９でＶＡＵＸデータが付加されたビデオデータは、マルチプレクサ６１に供給される。
【０１２５】
データ入力端子５１には、図１に示すＷＳＳ書き換え回路４からＴＲパックに書き込まれるデータとして、ＷＳＳデータが供給される。また、データ入力端子５４には、図３に示すＰＡＬｐｌｕｓ記録側処理回路６のＴＲパック出力端子３０から、ＴＲパックに書き込まれるデータとして、白１００％のリファレンスデータが供給される。ＶＡＵＸ発生回路６０から発生されるＶＡＵＸデータには、これらのデータが含まれている。
【０１２６】
具体的には、ＶＡＵＸに図１７に示すＴＲパック（ヘッダ６６ｈ）が設けられ、識別信号のデータがこのＴＲパックに記録される。上述したように、このＴＲパックのＰＣ１〜ＰＣ３にはＷＳＳデータが、ＰＣ４には白１００％のリファレンスデータが記録される。なお、何らかの理由により白１００％のリファレンスデータが取得されていなかった場合には、このＰＣ４には、（ＦＦｈ）が記録される。
【０１２７】
図５に、これらのデータがＴＲパックに記録された状態を示す。このように、１４ビットを有するＷＳＳデータがＰＣ１の５ビット目からＭＳＢに向け、ｂ０、ｂ１、ｂ２、と詰め込まれ、ＰＣ１がビットで埋められると、ＰＣ２のＬＳＢからＭＳＢに向け、ｂ３、ｂ４、・・・ｂ１０、と詰め込まれ、さらにＰＣ３のＬＳＢからＭＳＢに向け、ｂ１１、ｂ１２、ｂ１３、とデータが詰め込まれる。このようにして、ＴＲパックがＷＳＳデータで埋められる。また、白１００％のリファレンスデータは、最大でも‘２３５’とされているため、ＰＣ４の８ビットに書き込まれる。
【０１２８】
また、入力端子６２には、オーディオ信号が供給される。このオーディオ信号がＡ／Ｄコンバータ６３に供給される。Ａ／Ｄコンバータ６３で、オーディオ信号がディジタル化される。このオーディオ信号がオーディオ信号処理回路６４に供給される。オーディオ処理回路６４で、オーディオデータが所定のシンクブロック内に詰め込まれる。オーディオ信号処理回路６４の出力がＡＡＵＸ付加回路６５に供給される。
【０１２９】
ＡＡＵＸ付加回路６５には、コントローラ８０からの制御の基に、ＡＡＵＸ発生回路６６から、ＡＡＵＸデータが供給される。ＡＡＵＸ付加回路６５で、オーディオデータにＡＡＵＸデータが付加される。このＡＡＵＸデータが付加されたオーディオデータがマルチプレクサ回路６１に供給される。
【０１３０】
サブコード発生回路６７で、サブコードが発生される。サブコードデータは、高速サーチの際に用いられる。このサブコードデータがマルチプレクサ回路６１に供給される。
【０１３１】
マルチプレクサ回路６１で、ビデオデータと、オーディオデータと、サブコードデータとが切り換えられる。このマルチプレクサ回路６１の出力がエラー訂正符号化回路６８に供給される。エラー訂正符号化回路６８で、記録データにエラー訂正符号が付加される。エラー訂正符号化回路６８の出力がチャネルエンコーダ６９に供給される。チャネルエンコーダ６９で、記録データが２４／２５変換される。ここで、更に、ディジタル記録に適したパーシャルレスポンスクラス４のコーディング処理が行われる。チャネルエンコーダ６９の出力が記録アンプ（図示せず）を介してヘッド７０に供給され、上述したフォーマットで記録テープに記録される。
【０１３２】
図６は、記録テープ上に記録される各信号レベルの例を示す。図６Ａの示す第２３ラインの信号レベルでは、輝度信号Ｙについては、このように、ＰＡＬｐｌｕｓ記録側処理回路６のミュート回路２８によって、信号レベルが‘１６’にミュートされる。また、復調バーストリファレンス信号は、Ｖ軸にしか現れず、‘１２８’の値から‘５４’だけ沈み込んだレベルとされる。
【０１３３】
図６Ｂは、無画部、すなわち、第２４ライン〜第５９ライン、第２７５ライン〜第３１０ライン、第３３６ライン〜第３７１ライン、および第５８７ライン〜第６２２ラインでの信号レベルを示す。なお、ここではヘルパーキラー機能は、ＯＦＦとされているものとする。上述したように、ヘルパー信号は、色差信号ＣＢ  および色差信号ＣＲ  に挿入される。したがって、輝度信号Ｙの信号レベルはペデスタルレベルである‘１６’とされる。
【０１３４】
一方、ヘルパー信号が含まれる記録色信号Ｃ／ヘルパー信号においては、復調されたヘルパー信号のレベルが現れる。このレベルは、上述のＡ／Ｄ変換器９ｂ、９ｃにおいて正規化され、ＰＡＬｐｌｕｓ記録側処理回路６の振幅増幅設定回路３４およびＤＣレベルシフト回路３５によって設定され、レベルシフトされた値である。この例では、ＤＣレベルシフトは行なわれておらず、Ａ／Ｄ変換器９ｂ、９ｃによって正規化された値となっており、最大値が‘１０８’とされている。
【０１３５】
図６Ｃは、主画部、すなわち、第６０ライン〜第２７４ライン、および第３７２ライン〜第５８６ラインにおける信号レベルを示す。この期間については、通常のＰＡＬｐｌｕｓ方式の信号レベルとされている。輝度信号Ｙは、最大値が白１００％のリファレンスレベルであって‘２３５’とされ、最小値がペデスタルレベルである‘１６’とされる。また、記録色信号Ｃについても同様で、‘１２８’のレベルを中心に±１１２（Ｄ）の広がりを有し、最小値が‘１６’、最大値が‘２４０’とされる。
【０１３６】
次に、上述のような方法によって磁気テープ上に記録された信号を再生する場合について説明する。図７に、この再生系のディジタルＶＣＲ１００の構成の一例を示す。図７において、ヘッド１０１の再生信号は、再生アンプ（図示せず）を介して、チャンネルデコーダ１０２に供給される。チャンネルデコーダ１０２で、再生信号が復調される。チャンネルデコーダ１０２の出力がエラー訂正回路１０３に供給される。エラー訂正回路１０３により、エラー訂正処理がなされる。エラー訂正回路１０３の出力がデマルチプレクサ１０４に供給される。
【０１３７】
デマルチプレクサ１０４により、オーディオエリアの再生データと、ビデオエリアの再生データと、サブコードエリアの再生データとが分けられる。
【０１３８】
オーディオエリアの再生データは、オーディオ処理回路１０７に供給される。また、オーディオエリアの再生データ中のＡＡＵＸデータがＡＡＵＸデコード回路１０８で検出される。このＡＡＵＸデータがコントローラ１２０に供給される。オーディオ処理回路１０７で、時間軸変換、補間等の処理がなされる。オーディオ処理回路１０７の出力がＤ／Ａコンバータ１１０に供給される。Ｄ／Ａコンバータ１１０の出力が出力端子１１１から出力される。
【０１３９】
ビデオエリアの再生データは、デフレーム回路１０５に供給される。また、ビデオエリアの再生データ中のＶＡＵＸデータがＶＡＵＸデコード回路１０６で検出される。このＶＡＵＸデータがコントローラ１２０に供給される。
【０１４０】
なお、ＶＡＵＸのＴＲパックのＰＣ１〜３からは、ＷＳＳデータが得られる。また、同様にＰＣ４からは白１００％のリファレンスデータが得られる。これら得られたデータのうち、ＷＳＳデータは、データ出力端子１１７から出力され、後述するＷＳＳ信号エンコーダ１５２に送られる。また、白１００％のリファレンスデータは、データ出力端子１１８から出力され、後述するＰＡＬｐｌｕｓ再生側処理回路１５１に送られる。
【０１４１】
サブコードエリアの再生データは、サブコードデコード回路１０９で検出される。このサブコードデータがコントローラ１２０に供給される。
【０１４２】
デフレーム回路１０５の出力が伸長回路１１２に供給される。伸長回路１１２は、可変長符号の復号と、逆ＤＣＴ変換により、圧縮記録されていたビデオ信号を元の時間領域のビデオ信号に変換するものである。伸長回路１１２の出力がデシャフリング及びデブロック化回路１１３に供給される。デシャフリング及びデブロック化回路１１３からは、再生コンポーネントカラービデオ信号Ｙ、Ｃが得られる。これらの信号のうち、信号Ｃは、色差信号ＣＢ  、ＣＲ  が線順次化されたものであり、且つヘルパー信号が挿入されている。
【０１４３】
この再生コンポーネントカラービデオ信号Ｙ、Ｃが情報付加回路１１４に供給される。情報付加回路１１４は、水平同期信号や垂直同期信号等を付加するものである。この情報付加回路１１４の出力のうち、再生輝度信号Ｙが出力端子１１５から出力され、再生色信号Ｃが出力端子１１６から出力される。なお、この場合、再生色信号Ｃには、上述したように、記録時に無画部の期間にヘルパー信号が挿入されている。したがって、この再生色信号Ｃも、無画部の期間にヘルパー信号を含むものである。
【０１４４】
図８は、上述のディジタルＶＣＲ１００から出力されたＰＡＬｐｌｕｓ再生信号を処理するための、全体の構成の一例を示す。ディジタルＶＣＲ１００の出力端子１１６が線順次補間回路１５０に接続される。線順次補間回路１５０のＣＢ  ／ヘルパー信号出力およびＣＲ  出力がＰＡＬｐｌｕｓ再生側処理回路１５１の入力端子２００、２０１にそれぞれ接続される。ディジタルＶＣＲ１００の１出力端子１１５がＰＡＬｐｌｕｓ再生側処理回路１５１の入力端子２０２に接続される。ディジタルＶＣＲ１００のデータ出力端子１１８がＰＡＬｐｌｕｓ再生側処理回路１５１のデータ入力端子２０３に接続される。ディジタルＶＣＲ１００のデータ出力端子１１７がＷＳＳエンコーダ１５２に接続される。ＷＳＳエンコーダ１５２が加算器１５６の一方の入力端に接続される。
【０１４５】
ヘルパーキラーモードコントロール回路１５３がＷＳＳ信号エンコーダ１５２およびＰＡＬｐｌｕｓ再生側処理回路１５１の入力端子２０４に接続される。ＰＡＬｐｌｕｓ再生側処理回路１５１の出力端子２０５、２０６、２０７がＤ／Ａ変換器１５４ａ、１５４ｂ、１５４ｃにそれぞれ接続される。Ｄ／Ａ変換器１５４ａがＰＡＬエンコーダ１５５のＹ信号入力端に接続され、Ｄ／Ａ変換器１５４ｂがＰＡＬエンコーダ１５５のＢ−Ｙ／ヘルパー信号入力端に接続され、Ｄ／Ａ変換器１５４ｃがＰＡＬエンコーダ１５５のＲ−Ｙ入力端に接続される。
【０１４６】
ＰＡＬエンコーダ１５５のＹ信号出力端が加算器１５６の他方の入力端に接続される。ＰＡＬエンコーダ１５５のＣ／ヘルパー信号出力端がＹ／Ｃ混合回路１５７のＣ／ヘルパー信号入力端に接続されると共に、Ｙ／Ｃ分離出力端１５８のＣ出力端子１６０に接続される。加算器１５６がＹ／Ｃ混合回路１５７のＹ信号入力端に接続されると共に、Ｙ／Ｃ分離出力端１５８の出力端子１５９に接続される。Ｙ／Ｃ混合回路１５７のコンポジット信号出力端が出力端子１６１に接続される。
【０１４７】
ディジタルＶＣＲ１００の出力端子１１５から出力された再生輝度信号ＹがＰＡＬｐｌｕｓ再生側処理回路１５１の入力端子２０２に供給される。なお、図示しないが、出力端子１１５からから供給された再生輝度信号Ｙは、同期分離回路にも供給され、垂直および水平同期信号が分離抽出される。これら分離抽出された同期信号が装置全体を制御するためのラインカウンタに供給され、ラインのカウントが行なわれる。
【０１４８】
ディジタルＶＣＲ１００の出力端子１１６から出力された再生色信号Ｃが線順次補間回路１５０に供給される。線順次化された再生色信号Ｃは、この線順次補間回路１５０において、上述したラインカウンタから出力されたカウント値に基づき制御され、色差信号ＣＢ  および色差信号ＣＲ  に振り分けられる。なお、この発明においては、このヘルパー信号は、記録時には色差信号ＣＢ  およびＣＲ  の両方に挿入される。したがって、この振り分けられた色差信号ＣＢ  および色差信号ＣＲ  の両方にヘルパー信号が挿入されている。色差信号ＣＢ  は、ＰＡＬｐｌｕｓ再生側処理回路１５１の入力端子２００に供給され、色差信号ＣＲ  は、入力端子２０１に供給される。
【０１４９】
ディジタルＶＣＲ１００のデータ出力端子１１８から、白１００％のリファレンスデータが出力される。このデータは、図５に示すＴＲパックのＰＣ４に書き込まれた８ビットのディジタルデータであり、これが取り出され、ＰＡＬｐｌｕｓ再生側処理回路１５１のデータ入力端子２０３に供給される。
【０１５０】
ディジタルＶＣＲ１００のデータ出力端子１１７から、ＷＳＳデータが出力される。このデータは、図５に示すＴＲパックのＰＣ１〜ＰＣ３に、ｂ０〜ｂ１３として書き込まれた１４ビットのディジタルデータであり、これが取り出され、ＷＳＳエンコーダ１５２に供給される。ＷＳＳエンコーダ１５２において、このディジタルデータであるＷＳＳデータがエンコードされ、ＰＡＬｐｌｕｓ方式のテレビジョン受像機などが認識可能な信号とされる。また、このＷＳＳエンコーダ１５２において、ヘルパー信号のリファレンス信号が生成される。これらＷＳＳ信号およびリファレンス信号が第２３ラインとしての所定の位置に配され、スイッチ回路１５６の入力端１５６ａに供給される。
【０１５１】
ヘルパーキラーモードコントロール回路５３からのヘルパーキラー信号がＷＳＳエンコーダ１５３、およびＰＡＬｐｌｕｓ再生側処理回路１５１の入力端子２０４に共に供給される。このヘルパーキラーモードコントロール回路５３は、上述の、図１に示した記録側の構成におけるヘルパーキラーモードコントロール回路５と同様、外部からの入力などによってヘルパー機能をＯＦＦ、すなわち、ＰＡＬｐｌｕｓ方式における垂直解像度補強の機能をカットするものである。
【０１５２】
これは、例えば、ＰＡＬｐｌｕｓ方式の映像信号を、ＰＡＬｐｌｕｓ方式に対応していない、ＰＡＬ方式のテレビジョン受像機などで映出させる際に特に必要とされる機能である。ＰＡＬ方式のテレビジョン受像機のアスペクト比は、（４：３）とされており、これにＰＡＬｐｌｕｓ方式の画面を映出させると、図２７に示すように、上下に無画部が配されたレターボックス形式の画面として映出される。この上下の無画部にはヘルパー信号が挿入されており、このヘルパー信号が色のちらつきなどの画像障害となって無画部に映出されてしまう。
【０１５３】
このような場合、このヘルパーキラーモードコントロール回路１５３によってヘルパー機能をＯＦＦとする。すると、ＰＡＬｐｌｕｓ再生側処理回路１５１において、無画部の期間の信号が、再生輝度信号Ｙについてはディジタル値で‘１６’のレベル、すなわちペデスタルレベルに、また、ヘルパー信号が挿入されている再生色差信号ＣＢ  、ＣＲ  については共にディジタル値で‘１２８’のレベル、すなわち無彩色のレベルとすげ替えられる。また、ＷＳＳエンコーダ１５２においては、ＷＳＳ信号が挿入されている第２３ラインの信号がディジタル値で‘１６’のレベルにミュートされる。
【０１５４】
このようにヘルパーキラー機能を働かせることによって、上下の無画部に現れる画面の障害を無くすることができる。
【０１５５】
また、このヘルパーキラーの機能は、ＰＡＬｐｌｕｓ方式の映像信号をＰＡＬｐｌｕｓ方式に対応したテレビジョン受像機で再生する際、例えば記録されている信号の質が悪いなどといったような、何らかの理由により、ヘルパー信号による垂直解像度補強の機能が有効に働かないようなときに使用しても効果がある。
【０１５６】
図９は、上述のＰＡＬｐｌｕｓ再生側処理回路１５１の構成の一例を示す。この回路において、上述したヘルパーキラー機能の実現、白１００％のリファレンス信号の第６２３ラインへの挿入、および、記録時において色差信号ＣＢ  およびＣＲ  の両方に挿入されたヘルパー信号の、再生色差信号ＣＢ  のみへの挿入などが行なわれる。また、後述する、ヘルパー信号のＤＣレベルのシフトもこの回路において行なわれる。
【０１５７】
入力端子２０２がディレイ回路２０８に接続される。ディレイ回路２０８がヘルパーキラー回路２０９に含まれるスイッチ回路２１０の入力端２１０ａに接続される。こおヘルパーキラー回路２０９は、スイッチ回路２１０、２１１、２１２によって構成される。入力端子２０４がヘルパーキラー回路２０９に接続される。
【０１５８】
入力端子２００がスイッチ回路２１３の共通出力端に接続される。入力端子２０１がスイッチ回路２１４の共通出力端に接続される。スイッチ回路２１３の出力端２１３ｂおよびスイッチ回路２１４の出力端２１４ｂが結合され、スイッチ回路２１３の出力端２１３ａに接続され、ヘルパーキラー回路２０９に含まれるスイッチ回路２１１の入力端２１１ａに接続される。スイッチ回路２１４の出力端２１４ａがヘルパーキラー回路２０９に含まれるスイッチ回路２１２の入力端２１２ａに接続される。また、スイッチ回路２１０、２１１、２１２の入力端２１０ｂ、２１１ｂ、２１２ｂがそれぞれ固定のディジタルレベル源に接続される。入力端２１０ｂが‘１６’のレベルと接続され、入力端２１１ｂおよび入力端２１２ｂが共に‘１２８’のレベルと接続される。
【０１５９】
ヘルパーキラー回路２０９に含まれるスイッチ回路２１０の共通出力端が白レベルリファレンス回路２１５に含まれるスイッチ回路２１６の入力端２１６ａに接続される。スイッチ回路２１６の共通出力端が出力端子２０５に接続される。また、スイッチ回路２１６の入力端ｂがレジスタ２１７に接続される。データ入力端２０３がレジスタ２１７に接続される。
【０１６０】
ヘルパーキラー回路２０９に含まれるスイッチ回路２１１の共通出力端がスイッチ回路２１８の共通入力端に接続される。スイッチ回路２１８の出力端２１８ａがスイッチ回路２１９の共通入力端に接続される。スイッチ回路２１９の出力端２１９ａがＤＣレベルシフト回路２２１に接続される。スイッチ回路２１９の出力端２１９ｂが振幅増幅設定回路２２０に接続され、振幅増幅設定回路２２０が、スイッチ回路２１９の出力端２１９ａと共にＤＣレベルシフト回路２２１に接続される。スイッチ回路２１８の出力端２１８ｂおよびＤＣレベルシフト回路２２１が共に出力端子２０６に接続される。また、ヘルパーキラー回路２０９に含まれるスイッチ回路２１２の共通出力端が出力端子２０７に接続される。
【０１６１】
また、このＰＡＬｐｌｕｓ再生側処理回路１５１には、ラインカウンタ２２２が含まれており、このラインカウンタ２２２に、上述した同期分離回路（図示しない）から供給される垂直同期信号、水平同期信号、およびこの装置全体を制御するシステムクロックによって、映像信号のラインがカウントされ、そのカウント値が出力される。このラインカウンタ２２２から出力されるカウント値によって、以下に示す各回路が制御される。
ヘルパーキラー回路２０９に含まれるスイッチ回路２１０、２１１、２１２
スイッチ回路２１３、２１４
白レベルリファレンス回路２１５に含まれるスイッチ回路２１６
スイッチ回路２１８
【０１６２】
なお、このラインカウンタ２２２は、上述した、装置全体の制御のためのラインカウンタ（図示しない）としてもよい。また、逆に、上述の装置全体の制御のためのラインカウンタから出力されるカウント値を、このラインカウンタ２２２から出力されるカウント値の代わりに用いてもよい。
【０１６３】
再生輝度信号Ｙが入力端子２０２を介しディレイ回路２０８に供給される。このディレイ回路２０８は、ハーフクロック精度、すなわち、システムクロックの半分のタイミングの精度を有するもので、このＰＡＬｐｌｕｓ再生側処理回路１５１において発生する再生輝度信号Ｙや再生色差信号ＣＢ  、ＣＲ  のタイミングのずれなどを修正するためのものである。このディレイ回路２０８から出力された再生輝度信号Ｙがヘルパーキラー回路２０９に含まれるスイッチ回路２１０の入力端２１０ａに供給される。
【０１６４】
入力端子２００を介し、再生色差信号ＣＢ  がスイッチ回路２１３の共通入力端に供給される。また、入力端子２０１を介し、再生色差信号ＣＲ  がスイッチ回路２１４の共通入力端２１４ａに供給される。上述したように、これら再生色差信号ＣＢ  、ＣＲ  には、無画部の期間にヘルパー信号が挿入されている。
【０１６５】
このスイッチ回路２１３、２１４は、ラインカウンタ２２２からの出力のカウント値に基づいて制御され、無画部の期間と主画部の期間とでその信号の経路を切り替える。すなわち、図３２を参照し、第２４ライン〜第５９ラインの上部無画部では出力端２１３ｂ、２１４ｂが選択され、第６０ライン〜第２７４の主画部では出力端２１３ａ、２１４ａが選択され、第２７５ライン〜第３１０ラインの下部無画部では出力端２１３ｂ、２１４ｂが選択される。また、第３３６ライン〜第３７１ラインの上部無画部では出力端２１３ｂ、２１４ｂが選択され、第３７２ライン〜第５８６ラインの主画部では出力端２１３ａ、２１４ａが選択され、第５８７ライン〜第６２２の下部無画部では出力端２１３ｂ、２１４ｂが選択される。
【０１６６】
スイッチ回路２１３の出力端２１３ｂ、およびスイッチ回路２１４の出力端２１４ｂは、互いに結合されており、且つ、出力端２１３ａ、すなわち再生色差信号ＣＢ  の信号経路に接続されている。また、これらスイッチ回路２１３、２１４の共通入力端に供給される再生色差信号ＣＢ  およびＣＲ  には、図３に示す線順次化回路３８のような構成の回路によって、無画部の期間に、ライン毎交互にヘルパー信号が挿入されている。したがって、このようにスイッチ回路２１３、２１４を制御することによって、再生色差信号ＣＢ  、ＣＲ  に挿入されていたヘルパー信号を、再生色差信号ＣＢ  にのみ挿入させることができる。さらに、再生色差信号ＣＲ  についても、無画部の期間においては出力端２１４ｂが選択されているため、後段の回路にこの再生色差信号ＣＲ  にも挿入されているヘルパー信号を送ることはない。
【０１６７】
これらスイッチ回路２１３、２１４から出力された再生色差信号ＣＢ  、ＣＲ  は、再生色差信号ＣＢ  についてはヘルパーキラー回路２０９に含まれるスイッチ回路２１１の入力端２１１ａに、また、再生色差信号ＣＲ  についてはスイッチ回路２１２の入力端２１２ａに供給される。
【０１６８】
なお、この図でわかるように、スイッチ回路２１３の出力端２１３ａおよび出力多２１３ｂは、互いに結合されている。したがって、このスイッチ回路２１３は、省略することが可能である。
【０１６９】
ヘルパーキラー回路２０９に含まれるスイッチ回路２１０、２１１、２１２の入力端２１０ａ、２１１ａ、２１２ａには、上述したように、再生輝度信号Ｙ、ヘルパー信号が挿入された再生色差信号ＣＢ  、および再生色差信号ＣＲ  がそれぞれ供給される。また、スイッチ回路２１０の入力端２１０ｂには、ディジタル値で‘１６’の値が供給される。また、スイッチ回路２１１、２１２の入力端２１１ｂ、２１２ｂには、ディジタル値で‘１２８’の値がそれぞれ供給されている。
【０１７０】
このヘルパーキラー回路２０９には、ヘルパーキラーコントロール回路１５３からヘルパーキラー入力端子２０４を介してヘルパーキラー信号が供給される。この供給されたヘルパーキラー信号によって、このヘルパーキラーの機能のＯＮ／ＯＦＦが制御される。また、スイッチ回路２１０、２１１、２１２は、このヘルパーキラー信号によって制御されると共に、ラインカウンタ２２２からのカウント値によっても制御される。
【０１７１】
ヘルパーキラー機能がＯＮのとき、ラインカウンタ２２２からのカウント値に基づいてスイッチ回路２１０、２１１、２１２が制御され、無画部においては各スイッチにおける入力端２１０ｂ、２１１ｂ、２１２ｂがそれぞれ選択される。また、主画部においては各スイッチにおける入力端２１０ａ、２１１ａ、２１２ａがそれぞれ選択される。すなわち、図３２を参照し、第２４ライン〜第５９ラインの上部無画部では入力端２１０ｂ、２１１ｂ、２１２ｂが選択され、第６０ライン〜第２７４の主画部では入力端２１０ａ、２１１ａ、２１２ａが選択され、第２７５ライン〜第３１０ラインの下部無画部では入力端２１０ｂ、２１１ｂ、２１２ｂが選択される。また、第３３６ライン〜第３７１ラインの上部無画部では入力端２１０ｂ、２１１ｂ、２１２ｂが選択され、第３７２ライン〜第５８６ラインの主画部では入力端２１０ａ、２１１ａ、２１２ａが選択され、第５８７ライン〜第６２２の下部無画部では入力端２１０ｂ、２１１ｂ、２１２ｂが選択される。
【０１７２】
このような制御の結果、無画部では、再生輝度信号Ｙがスイッチ回路２１０の入力端２１０ｂに供給されたディジタル値で‘１６’のレベルとすげ替えられ、スイッチ回路２１０の出力端から出力される。また、ヘルパー信号が挿入された再生色差信号ＣＢ  がスイッチ回路２１１の入力端２１１ｂに供給されたディジタル値で‘１２８’のレベルとすげ替えれ、再生色差信号ＣＲ  がスイッチ回路２１２の入力端２１２ｂに供給されたディジタル値で‘１２８’のレベルとすげ替えられ、スイッチ回路２１１、２１２の出力端からそれぞれ出力される。
【０１７３】
また、主画部においては、これらスイッチ回路２１０、２１１、２１２の入力端２１０ａ、２１１ａ、２１２ａにそれぞれ供給された再生輝度信号Ｙ、ヘルパー信号が挿入された再生色差信号ＣＢ  、再生色差信号ＣＲ  は、そのまま各スイッチ回路の出力端から出力される。
【０１７４】
一方、ヘルパーキラー機能がＯＦＦとされているときは、このラインカウンタ２２２のカウント値によるスイッチ回路２１０、２１１、２１２の制御が行なわれず、常に各スイッチ回路の入力端は、入力端２１０ａ、２１１ａ、２１２ａが選択される。それにより、各スイッチ回路に供給された再生輝度信号Ｙ、ヘルパー信号が挿入された再生色差信号ＣＢ  、ＣＲ  は、そのまま対応する各スイッチ回路の出力端から出力される。
【０１７５】
ヘルパーキラー回路２０９に含まれるスイッチ回路２１０の共通出力端から再生輝度信号Ｙが出力され、この出力された再生輝度信号Ｙは、白レベルリファレンス回路２１５に含まれるスイッチ回路２１６に供給される。この白レベルリファレンス回路２１５は、ラインカウンタ２２２からのカウント値に基づき制御されるスイッチ回路２１６、およびレジスタ２１７によって構成されている。
【０１７６】
レジスタ２１７には、ディジタルＶＣＲ１００のデータ出力端子１１８からデータ入力端子２０４を介し、白１００％レベルのリファレンスデータが供給される。これは、上述したが、記録時に、図５に示すＴＲパックのＰＣ４に書き込まれた８ビットのデータであって、記録時に検出された白１００％レベルの値を表すデータである。このデータがレジスタ２１７に書き込まれる。
【０１７７】
この白レベルリファレンス回路２１５に含まれるスイッチ回路２１６において、ラインカウンタ２２２からのカウント値に基づき、第６２３ラインで入力端２１６ｂが選択される。一方、この他のラインにおいては、入力端２１６ａが選択される。このようにスイッチ回路２１６が制御されることによって、第６２３ラインにおいて、再生輝度信号Ｙが白１００％レベルのリファレンスデータにすげ替えられる。
【０１７８】
なお、ＴＲパックデータのうち、白１００％のリファレンスデータであるＰＣ４のデータが（ＦＦｈ）、すなわち全てのビットが‘１’であった場合、上述したように、このリファレンスデータが記録時に書き込まれていなかったことを表している。この場合には、レジスタ２１７には、本来の白１００％のレベルである‘２３５’が書き込まれる。ディジタルＶＴＲにおいては再生データの信頼性が極めて高いため、このようにすることによって、記録時の白１００％のレベルの正確な復元がされない場合でもある程度の高画質が期待できる。
【０１７９】
また、このレジスタ２１７には、モードコントロール入力端を介し、外部からモードコントロール信号の供給も可能とされる。レジスタ２１７にこのモードコントロール信号が供給されると、このレジスタ２１７に、例えば、強制的に‘２３５’の値が書き込まれるようにされている。
【０１８０】
この白レベルリファレンス回路２１５から出力された再生輝度信号Ｙは、出力端子２０５に導出される。
【０１８１】
ヘルパーキラー回路２０９に含まれるスイッチ回路２１１から出力された、無画部の期間にヘルパー信号が挿入された色差信号ＣＢ  は、スイッチ回路２１８の共通入力端に供給される。また、スイッチ回路２１２の共通出力端から出力された色差信号ＣＲ  は、そのまま出力端子２０７に導出される。
【０１８２】
スイッチ回路２１８は、ラインカウンタ２２２からのカウント値によって制御されるものであり、無画部の期間と主画部の期間とでその信号の経路を切り替える。すなわち、図３２を参照し、第２４ライン〜第５９ラインの上部無画部では出力端２１８ａが選択され、第６０ライン〜第２７４の主画部では出力端２１８ｂが選択され、第２７５ライン〜第３１０ラインの下部無画部では出力端２１８ａが選択される。また、第３３６ライン〜第３７１ラインの上部無画部では出力端２１８ａが選択され、第３７２ライン〜第５８６ラインの主画部では出力端２１８ｂが選択され、第５８７ライン〜第６２２の下部無画部では出力端２１８ａが選択される。
【０１８３】
このようにスイッチ回路２１８が制御されることによって、無画部の期間において、色差信号ＣＢ  に挿入されたヘルパー信号が出力端２１８ａに導出される。導出されたこのヘルパー信号は、外部から供給されるモードコントロール信号によって制御されるスイッチ回路２１９の共通入力端に供給される。このスイッチ回路２１９の出力端２１９ｂからの出力は、振幅増幅設定回路２２０に供給される。この振幅増幅設定回路２２０には、後段のＤＣレベルシフト回路においてヘルパー信号のレベルを１／２倍、あるいは２倍にシフトさせるような情報がセットされており、この回路２２０を介した信号にはこのレベルシフトの情報が付加される。この振幅増幅設定回路２２０においてレベルシフト情報を付加されたヘルパー信号は、ＤＣレベルシフト回路２２１に供給される。
【０１８４】
ＤＣレベルシフト回路２２１に供給されたヘルパー信号は、付加されたレベルシフト量に基づきそのレベルをシフトされる。ここでは、例えば、上述の図３に示すＰＡＬｐｌｕｓ記録側処理回路６における振幅増幅設定回路３４によって設定され、ＤＣレベルシフト回路３５によってレベルシフトされた信号レベルを本来の値に戻すように、シフト量が設定される。すなわち、回路３４によってシフト量が２倍とされれば、この再生側の振幅増幅設定回路２２０においては、シフト量が１／２倍とされる。
【０１８５】
また、上述のスイッチ回路２１９において、出力端２１９ｂが選択されていればレベルシフト情報が付加されないため、このＤＣレベルシフト回路２２１においてもレベルがシフトされない。このＤＣレベルシフト回路２２１の出力は、スイッチ回路２１８の出力端２１８ｂの出力と共に、出力端子２０６に導出される。
【０１８６】
ＰＡＬｐｌｕｓ再生側処理回路１５１の、出力端子２０５から出力された再生輝度信号Ｙ、出力端子２０６から出力された、無画部に期間にヘルパー信号が挿入された再生色差信号ＣＢ  、および出力端子２０７から出力された再生色差信号ＣＲ  は、Ｄ／Ａ変換器１５４ａ、１５４ｂ、１５４ｃにそれぞれ供給される。供給されたこれらの信号は、アナログ信号に変換され、再生輝度信号Ｙ、無画部にアナログ変換されたヘルパー信号が挿入された色差信号Ｂ−Ｙ、および色差信号Ｒ−Ｙとされ、ＰＡＬエンコーダ１５５にそれぞれ供給される。なお、このＤ／Ａ変換器を介した以降の信号は、アナログ信号として処理される。
【０１８７】
ＰＡＬエンコーダ１５５は、線順次化回路を含み、供給された再生色差信号Ｂ−Ｙ、Ｒ−Ｙが線順次化される。この線順次化された信号は、変調され搬送色信号Ｃとして出力される。この搬送色信号Ｃには、無画部にヘルパー信号が挿入されている。この搬送色信号Ｃは、Ｙ／Ｃ混合回路１５７に供給されると共に、Ｙ／Ｃ分離出力端１５８の出力端子１６０に供給される。
【０１８８】
また、再生輝度信号ＹがＰＡＬエンコーダ１５５から出力され、スイッチ回路１５６の入力端１５６ｂに供給される。また、上述したように、このスイッチ回路１５６の入力端１５６ａには、ＷＳＳエンコーダ１５２から出力された、ＷＳＳ信号およびリファレンス信号が第２３ラインとしての所定の位置に配された信号が供給されている。
【０１８９】
このスイッチ回路は、装置全体の制御のためのラインカウンタ（図示しない）からのカウント値によって制御され、第２３ラインにおいて入力端１５６ａが選択され、その他のラインにおいては入力端１５６ｂが選択される。したがって、ＰＡＬエンコーダ１５５から供給される再生輝度信号Ｙは、第２３ラインにおいて、ＷＳＳエンコーダ１５２から供給された、ＷＳＳ信号およびリファレンス信号とすげ替えられる。それにより、再生輝度信号Ｙは、ＷＳＳ信号が第２３ラインに挿入され、本来のＰＡＬｐｌｕｓ方式の信号とされる。
【０１９０】
このＷＳＳ信号が挿入された再生輝度信号Ｙは、スイッチ回路１５６の共通出力端からＹ／Ｃ混合回路１５７に供給される。また、この再生輝度信号Ｙは、Ｙ／Ｃ分離出力端１５８の出力端子１５９にも供給される。
【０１９１】
Ｙ／Ｃ混合回路１５７に供給された、再生輝度信号Ｙおよび色信号Ｃは、混合され、ＰＡＬｐｌｕｓ方式のコンポジットビデオ信号とされ、出力端子１６１に導出される。
【０１９２】
なお、以上の説明は、この発明を６２５本／５０Ｈｚ方式であるＰＡＬｐｌｕｓ方式に適用させた例であるが、これはこの例に限定されるものではない。この発明は、５２５本／６０Ｈｚ方式において、画像信号中に垂直解像度補強信号が挿入された、例えば、ＥＤＴＶ−ＩＩ方式にも適用可能なものである。
【０１９３】
また、この発明は、磁気テープに限らず、ディスク（再生専用ディスク、記録可能なディスク、書き換え可能なディスク）等の他の記録媒体を使用する場合に対しても適用できる。
【０１９４】
【発明の効果】
以上説明したように、この発明を用いることによって、ディジタルＶＣＲにＰＡＬｐｌｕｓ信号を、支障なく記録／再生することができる。
【０１９５】
この理由の一つとして、ＰＡＬｐｌｕｓ信号に含まれるヘルパー信号を、色差信号ＣＢ  およびＣＲ  に挿入させ、これら色差信号ＣＢ  、ＣＲ  が線順次化された色信号Ｃとして記録するようにしたためである。
【０１９６】
また、別の理由として、ＷＳＳ信号をデコードし、ＴＲパックに書き込むようにしたためである。
【０１９７】
また、別の理由として、白１００％のレベルのリファレンス信号が抽出され、ＴＲパックにその値が書き込まれるようにされている。そのため、白１００ａ線のリファレンス信号が正確に復元可能となり、放送時に意図されたＰＡＬｐｌｕｓ方式の高画質の画像を忠実に再現することができる効果がある。
【０１９８】
また、記録時にこのリファレンスデータを保存しておかなかった場合、白１００％のリファレンスデータを（ＦＦｈ）と設定することによって、ディジタルＶＴＲのデータの信頼性により、ある程度の高画質の再現が期待できる効果がある。
【０１９９】
また、復調ヘルパー信号の記録レベルがＣＣＩＲで規定された値に正規化されているために、ヘルパー信号復調からＡ／Ｄ変換までの処理のための回路をＰＡＬデコーダと共有することが可能となり、回路増加を抑えられる効果がある。
【０２００】
さらに、ヘルパー信号は、色差信号ＣＢ  およびＣＲ  の両方に振り分けて挿入されるため、線順次化の際にヘルパー信号が間引かれることがなく、有効に垂直解像度補強を行なうことができる効果がある。
【０２０１】
さらにまた、第２３ラインに挿入されているＷＳＳ信号がデコードされた後、この第２３ラインがミュートされるために、ＤＣＴによる画像圧縮を効率的に行なうことができる効果がある。
【０２０２】
また、再生ヘルパー信号がＹ／Ｃ分離出力端子の色信号Ｃの出力端に出力されるため、Ｙ／Ｃ分離入力端子を有したテレビジョン受像機などで再生時に、ヘルパー機能がより有効に働く効果がある。
【図面の簡単な説明】
【図１】この発明による、ＰＡＬｐｌｕｓ信号を記録する際の全体の構成の例を示すブロック図である。
【図２】信号のディジタル化における正規化を模式的に示す略線図である。
【図３】ＰＡＬｐｌｕｓ記録側処理回路の構成の一例を示す略線図である。
【図４】ディジタルＶＣＲの記録側の構成の一例を示すブロック図である。
【図５】ＷＳＳデータおよび白１００％レベルのリファレンスデータがＴＲパックに記録された状態を示す略線図である。
【図６】記録テープ上に記録される各信号レベルの例を示す略線図である。
【図７】ディジタルＶＣＲの再生側の構成の一例を示すブロック図である。
【図８】この発明による、ＰＡＬｐｌｕｓ信号を再生する際の全体の構成の例を示すブロック図である。
【図９】ＰＡＬｐｌｕｓ再生側処理回路の構成の一例を示す略線図である。
【図１０】テープのトラックフォーマットを示す略線図である。
【図１１】テープのトラックフォーマットを示す略線図である。
【図１２】テープのトラックフォーマットを示す略線図である。
【図１３】アプリケーションＩＤの階層構造を示す略線図である。
【図１４】テープのトラックフォーマットを示す略線図である。
【図１５】パックの構造を示す略線図である。
【図１６】ヘッダの階層構造を示す略線図である。
【図１７】ＴＲパックのデータ構造を示す略線図である。
【図１８】テープのトラックフォーマットを示す略線図である。
【図１９】プリシンクおよびポストシンクの構成を示す略線図である。
【図２０】テープのトラックフォーマットを示す略線図である。
【図２１】テープのトラックフォーマットを示す略線図である。
【図２２】テープのトラックフォーマットを示す略線図である。
【図２３】テープのトラックフォーマットを示す略線図である。
【図２４】テープのトラックフォーマットを示す略線図である。
【図２５】テープのトラックフォーマットを示す略線図である。
【図２６】テープのトラックフォーマットを示す略線図である。
【図２７】現行のテレビジョンとＰＡＬｐｌｕｓ方式のテレビジョンの画面を示す略線図である。
【図２８】ＰＡＬｐｌｕｓ信号を示す略線図である。
【図２９】ＰＡＬｐｌｕｓ信号を示す略線図である。
【図３０】ＷＳＳ信号を示す略線図である。
【図３１】白１００％レベルのリファレンス信号を示す略線図である。
【図３２】ＰＡＬｐｌｕｓ信号における伝送信号のラインおよび画素割り当ての詳細を示す略線図である。
【図３３】ＰＡＬｐｌｕｓ信号を示す略線図である。
【符号の説明】
３  ＷＳＳ検出回路
６  ＰＡＬｐｌｕｓ記録側処理回路
８  ＰＡＬデコーダ
９ａ、９ｂ、９ｃ  Ａ／Ｄ変換器
２１  ヘルパーキラー回路
２８  ミュート回路
３８  線順次化回路
１５０  線順次補間回路
１５１  ＰＡＬｐｌｕｓ再生側処理回路
１５５  ＰＡＬエンコーダ
１５８  Ｙ／Ｃ分離出力端
２０９  ヘルパーキラー回路
２１５  白レベルリファレンス回路
【図１】
0003612797.tif 000002
【図２】
0003612797.tif 000003
【図３】
0003612797.tif 000004
【図４】
0003612797.tif 000005
【図５】
0003612797.tif 000006
【図６】
0003612797.tif 000007
【図７】
0003612797.tif 000008
【図８】
0003612797.tif 000009
【図９】
0003612797.tif 000010
【図１０】
0003612797.tif 000011
【図１１】
0003612797.tif 000012
【図１２】
0003612797.tif 000013
【図１３】
0003612797.tif 000014
【図１４】
0003612797.tif 000015
【図１５】
0003612797.tif 000016
【図１６】
0003612797.tif 000017
【図１７】
0003612797.tif 000018
【図１８】
0003612797.tif 000019
【図１９】
0003612797.tif 000020
【図２０】
0003612797.tif 000021
【図２１】
0003612797.tif 000022
【図２２】
0003612797.tif 000023
【図２３】
0003612797.tif 000024
【図２４】
0003612797.tif 000025
【図２５】
0003612797.tif 000026
【図２６】
0003612797.tif 000027
【図２７】
0003612797.tif 000028
【図３３】
0003612797.tif 000029
【図２８】
0003612797.tif 000030
【図２９】
0003612797.tif 000031
【図３０】
0003612797.tif 000032
【図３１】
0003612797.tif 000033
【図３２】
0003612797.tif 000034